(57)【特許請求の範囲】
【請求項１】
表面に制御用の電子部品が実装される四角形状の制御基板と、当該制御基板を内部に収納するための基板ボックスと、を有する制御装置を備えた遊技機において、
前記基板ボックスは、
前記制御基板を収納するための閉止空間を画成する第１ケース部材及び第２ケース部材と、
前記第１ケース部材と前記第２ケース部材とを前記閉止空間を画成する閉止状態で離反不能に結合することが可能な封止手段と、を備え、
前記封止手段は、
前記第１ケース部材と前記第２ケース部材とを結合するための先封止部と、
前記先封止部の結合の解除後に前記第１ケース部材と前記第２ケース部材とを再結合するための後封止部と、を備え、
前記先封止部は、
前記第１ケース部材に設けられる第１ケース先固着部と、
前記閉止状態において前記第１ケース先固着部と重合するように前記第２ケース部材に設けられる第２ケース先固着部と、を有し、
前記第１ケース先固着部と前記第２ケース先固着部とが第１固着手段によって固着されることで前記第１ケース部材と前記第２ケース部材とを結合するものであり、
前記後封止部は、
前記第１ケース部材に設けられる第１ケース後固着部と、
前記閉止状態において前記第１ケース後固着部と重合するように前記第２ケース部材に設けられる第２ケース後固着部と、を有し、
前記第１ケース後固着部と前記第２ケース後固着部とが第２固着手段によって固着されることで前記第１ケース部材と前記第２ケース部材とを結合するものであり、
前記先封止部と前記後封止部は、前記閉止空間に収納された前記制御基板の所定の辺部に沿う第１方向に並んだ状態で前記閉止空間の外部に配設されており、
前記第１ケース先固着部と前記第２ケース先固着部及び前記第１ケース後固着部と前記第２ケース後固着部は、前記第１方向とは直交する第２方向に沿って重合するよう設定されてなり、
前記第１ケース先固着部と前記第２ケース先固着部との間に形成される第１重合境界と、前記第１ケース後固着部と前記第２ケース後固着部との間に形成される第２重合境界とが前記第２方向にずれるように構成したことを特徴とする遊技機。
【請求項２】
前記第１固着手段は、軸部と頭部を有し、前記第１ケース先固着部と前記第２ケース先固着部とに挿通される第１固着部材であり、
前記第１ケース先固着部及び前記第２ケース先固着部は、他方と重合する側に底部を有するとともに当該他方と重合する側とは反対側に開口を有する有底筒状であり、
前記第１ケース先固着部の内部に前記第１固着部材の軸部が係合する第１固着受部を形成するとともに、前記第２ケース先固着部の底部に前記第１固着部材の頭部が通過不能で軸部が通過可能な第１孔部を形成し、
前記第１固着部材は、前記第１ケース先固着部と前記第２ケース先固着部とを固着する際、前記第２ケース先固着部の開口から前記第２方向に沿って挿通され、
前記第２固着手段は、軸部と頭部を有し、前記第１ケース後固着部と前記第２ケース後固着部とに挿通される第２固着部材であり、
前記第１ケース後固着部及び前記第２ケース後固着部は、他方と重合する側に底部を有するとともに当該他方と重合する側とは反対側に開口を有する有底筒状であり、
前記第１ケース後固着部の内部に前記第２固着部材の軸部が係合する第２固着受部を形成するとともに、前記第２ケース後固着部の底部に前記第２固着部材の頭部が通過不能で軸部が通過可能な第２孔部を形成し、
前記第２固着部材は、前記第１ケース後固着部と前記第２ケース後固着部とを固着する際、前記第２ケース後固着部の開口から前記第２方向に沿って挿通され、
前記第１ケース先固着部の前記第２方向の幅を前記第２ケース先固着部の前記第２方向の幅よりも小さくするとともに、前記第１ケース後固着部の前記第２方向の幅を前記第２ケース後固着部の前記第２方向の幅よりも大きくしたことを特徴とする請求項１に記載の遊技機。
【請求項３】
前記基板ボックスは、前記第１ケース部材と前記第２ケース部材とに跨って所定のシールを貼着するための貼着領域を備え、
前記先封止部と前記後封止部とは、当該先封止部が当該後封止部よりも外側に位置するように並んだ状態で配設されており、
前記第１ケース先固着部と前記第１ケース後固着部とは、当該第１ケース先固着部が当該第１ケース後固着部よりも外側に位置するように前記第１方向に並んだ状態で配設されており、
前記第２ケース先固着部と前記第２ケース後固着部とは、当該第２ケース先固着部が当該第２ケース後固着部よりも外側に位置するように前記第１方向に並んだ状態で配設されており、
前記貼着領域は、前記第１重合境界を横断するように前記第１ケース先固着部と前記第２ケース先固着部とに跨って形成されていることを特徴とする請求項１又は２に記載の遊技機。
【請求項４】
前記貼着領域は、前記第２重合境界を横断するように前記第１ケース後固着部と前記第２ケース後固着部とに跨って形成されていることを特徴とする請求項３に記載の遊技機。
【発明の詳細な説明】
【技術分野】
【０００１】
本発明は、表面に制御用の電子部品が実装される四角形状の制御基板と、当該制御基板を内部に収納するための基板ボックスと、を有する制御装置を備えた遊技機に関する。
【背景技術】
【０００２】
従来の遊技機、例えばパチンコ遊技機やスロットマシンなどにおいては、遊技プログラムに基づいて遊技を制御する制御装置を備えており、当該制御装置により各種の被制御装置を制御して遊技を行うよう構成されている。
【０００３】
このような制御装置は、遊技プログラムが記憶された遊技用マイクロコンピュータ（例えば、ＣＰＵ、ＲＯＭ、ＲＡＭ等を１チップ化したアミューズチップを内蔵する制御デバイス）を含む各種電子部品を搭載した制御基板を、複数のケース部材で構成される基板ボックス内に収納し、不正防止の観点からケース部材同士の接合部分（重合部分）に設けられた封止手段（所謂かしめ）を固着部材により固着することで、封止手段を破壊しなければ基板ボックスを開封（開放）できないよう構成されている（例えば、特許文献１）。
【先行技術文献】
【特許文献】
【０００４】
【特許文献１】特開２００５−２５３７３５号公報
【発明の概要】
【発明が解決しようとする課題】
【０００５】
ところで、上記した特許文献１記載の遊技機が備える制御装置においては、固着部材として、一方向（螺合方向）にしか廻せないワンウェイねじ（単方向ネジ）を採用しているが、それでも基板ボックスを開封するといった不正行為が行われているという報告がある。
【０００６】
そのため、このような不正行為を回避するための対策を封止手段に対して講じる必要があるが、特許文献１に記載された封止手段にはそのような対策は施されていない。
【０００７】
本発明は上記した問題点を解決するためになされたものであり、基板ボックスを開封するといった不正行為を抑制することが可能な遊技機を提供することを目的とする。
【課題を解決するための手段】
【０００８】
以上の課題を解決するため、請求項１に記載の発明は、
表面に制御用の電子部品が実装される四角形状の制御基板と、当該制御基板を内部に収納するための基板ボックスと、を有する制御装置を備えた遊技機において、
前記基板ボックスは、
前記制御基板を収納するための閉止空間を画成する第１ケース部材及び第２ケース部材と、
前記第１ケース部材と前記第２ケース部材とを前記閉止空間を画成する閉止状態で離反不能に結合することが可能な封止手段と、を備え、
前記封止手段は、
前記第１ケース部材と前記第２ケース部材とを結合するための先封止部と、
前記先封止部の結合の解除後に前記第１ケース部材と前記第２ケース部材とを再結合するための後封止部と、を備え、
前記先封止部は、
前記第１ケース部材に設けられる第１ケース先固着部と、
前記閉止状態において前記第１ケース先固着部と重合するように前記第２ケース部材に設けられる第２ケース先固着部と、を有し、
前記第１ケース先固着部と前記第２ケース先固着部とが第１固着手段によって固着されることで前記第１ケース部材と前記第２ケース部材とを結合するものであり、
前記後封止部は、
前記第１ケース部材に設けられる第１ケース後固着部と、
前記閉止状態において前記第１ケース後固着部と重合するように前記第２ケース部材に設けられる第２ケース後固着部と、を有し、
前記第１ケース後固着部と前記第２ケース後固着部とが第２固着手段によって固着されることで前記第１ケース部材と前記第２ケース部材とを結合するものであり、
前記先封止部と前記後封止部は、前記閉止空間に収納された前記制御基板の所定の辺部に沿う第１方向に並んだ状態で前記閉止空間の外部に配設されており、
前記第１ケース先固着部と前記第２ケース先固着部及び前記第１ケース後固着部と前記第２ケース後固着部は、前記第１方向とは直交する第２方向に沿って重合するよう設定されてなり、
前記第１ケース先固着部と前記第２ケース先固着部との間に形成される第１重合境界と、前記第１ケース後固着部と前記第２ケース後固着部との間に形成される第２重合境界とが前記第２方向にずれるように構成したことを特徴とする。
【０００９】
請求項１に記載の発明によれば、第１ケース先固着部と第２ケース先固着部との間に形成される第１重合境界と、第１ケース後固着部と第２ケース後固着部との間に形成される第２重合境界とが第２方向にずれるように構成したので、封止手段に痕跡を残すことなく基板ボックスを開封するといった不正行為を抑制することが可能となる。
【００１０】
請求項２に記載の発明は、請求項１に記載の遊技機において、
前記第１固着手段は、軸部と頭部を有し、前記第１ケース先固着部と前記第２ケース先固着部とに挿通される第１固着部材であり、
前記第１ケース先固着部及び前記第２ケース先固着部は、他方と重合する側に底部を有するとともに当該他方と重合する側とは反対側に開口を有する有底筒状であり、
前記第１ケース先固着部の内部に前記第１固着部材の軸部が係合する第１固着受部を形成するとともに、前記第２ケース先固着部の底部に前記第１固着部材の頭部が通過不能で軸部が通過可能な第１孔部を形成し、
前記第１固着部材は、前記第１ケース先固着部と前記第２ケース先固着部とを固着する際、前記第２ケース先固着部の開口から前記第２方向に沿って挿通され、
前記第２固着手段は、軸部と頭部を有し、前記第１ケース後固着部と前記第２ケース後固着部とに挿通される第２固着部材であり、
前記第１ケース後固着部及び前記第２ケース後固着部は、他方と重合する側に底部を有するとともに当該他方と重合する側とは反対側に開口を有する有底筒状であり、
前記第１ケース後固着部の内部に前記第２固着部材の軸部が係合する第２固着受部を形成するとともに、前記第２ケース後固着部の底部に前記第２固着部材の頭部が通過不能で軸部が通過可能な第２孔部を形成し、
前記第２固着部材は、前記第１ケース後固着部と前記第２ケース後固着部とを固着する際、前記第２ケース後固着部の開口から前記第２方向に沿って挿通され、
前記第１ケース先固着部の前記第２方向の幅を前記第２ケース先固着部の前記第２方向の幅よりも小さくするとともに、前記第１ケース後固着部の前記第２方向の幅を前記第２ケース後固着部の前記第２方向の幅よりも大きくしたことを特徴とする。
【００１１】
請求項２に記載の発明によれば、第１固着部材は、第２ケース先固着部の開口から第２方向に沿って挿通されるので、第１ケース先固着部と第２ケース先固着部とを固着した固着状態において、第１固着部材の頭部は、第２ケース先固着部の内部に収納される。そして、固着状態の第１固着部材の頭部が収納される第２ケース先固着部の第２方向の幅は、第１ケース先固着部の第２方向の幅よりも大きいので、第２ケース先固着部のうち開口した側の端部から固着状態の第１固着部材の頭部までの距離が長くなり、固着状態の第１固着部材の頭部を削る等の細工が施し難くなる。したがって、固着状態の第１固着部材に細工を加えて封止手段に痕跡を残すことなく基板ボックスを開封するといった不正行為を抑制することが可能となる。
また、第２固着部材は、第２ケース後固着部の開口から第２方向に沿って挿通されるので、第１ケース後固着部と第２ケース後固着部とを固着した固着状態において、第２固着部材の頭部は、第２ケース後固着部の内部に収納される。通常では開封検査として先封止部を破壊して制御基板に問題がなければ新たな制御装置に交換されるまでの仮運用として後封止部を固着して制御装置が再利用されることになっているが、固着状態の第２固着部材の頭部が収納される第２ケース後固着部の第２方向の幅は、第１ケース後固着部の第２方向の幅よりも小さいので、第２ケース後固着部のうち開口した側の端部から固着状態の第２固着部材の頭部までの距離が短くなり、制御装置の再利用時に後封止部に対して第２固着部材を固着状態にする際の作業を楽に行うことができる。
【００１２】
請求項３に記載の発明は、請求項１又は２に記載の遊技機において、
前記基板ボックスは、前記第１ケース部材と前記第２ケース部材とに跨って所定のシールを貼着するための貼着領域を備え、
前記先封止部と前記後封止部とは、当該先封止部が当該後封止部よりも外側に位置するように並んだ状態で配設されており、
前記第１ケース先固着部と前記第１ケース後固着部とは、当該第１ケース先固着部が当該第１ケース後固着部よりも外側に位置するように前記第１方向に並んだ状態で配設されており、
前記第２ケース先固着部と前記第２ケース後固着部とは、当該第２ケース先固着部が当該第２ケース後固着部よりも外側に位置するように前記第１方向に並んだ状態で配設されており、
前記貼着領域は、前記第１重合境界を横断するように前記第１ケース先固着部と前記第２ケース先固着部とに跨って形成されていることを特徴とする。
【００１３】
請求項３に記載の発明によれば、貼着領域が第１ケース先固着部と第２ケース先固着部とに跨って形成されており、貼着領域を専用に確保する必要がないので、効率よく基板ボックスに電子タグシールを貼着することができる。
【００１４】
また、貼着領域は第１重合境界を横断するように第１ケース先固着部と第２ケース先固着部とに跨って形成されているので、第１ケース部材と第２ケース部材との結合を解除（すなわち、基板ボックスを開封）するために第１ケース先固着部と第２ケース先固着部との重合を解除すると、当該重合境界（すなわち、第１重合境界）で所定のシールが破損することになる。そのため、第１ケース先固着部と第２ケース先固着部との重合解除による基板ボックスの不正開封を抑制できるとともに、第１ケース先固着部と第２ケース先固着部との重合解除による基板ボックスの不正開封を発見し易くすることができる。
【００１５】
請求項４に記載の発明は、請求項３に記載の遊技機において、
前記貼着領域は、前記第２重合境界を横断するように前記第１ケース後固着部と前記第２ケース後固着部とに跨って形成されていることを特徴とする。
【００１６】
請求項４に記載の発明によれば、貼着領域は第２重合境界を横断するように第１ケース後固着部と第２ケース後固着部とに跨って形成されているので、第１ケース部材と第２ケース部材との結合を解除（すなわち、基板ボックスを開封）するために第１ケース後固着部と第２ケース後固着部との重合を解除すると、当該重合境界（すなわち、第２重合境界）で所定のシールが破損することになる。そのため、第１ケース後固着部と第２ケース後固着部との重合解除による基板ボックスの不正開封を抑制できるとともに、第１ケース後固着部と第２ケース後固着部との重合解除による基板ボックスの不正開封を発見し易くすることができる。
【発明の効果】
【００２５】
本発明によれば、基板ボックスを開封するといった不正行為を抑制することが可能となる。
【図面の簡単な説明】
【００２６】
【図１】本発明に係る遊技機の一実施形態を示す斜視図である。
【図２】図１の遊技機の背面図である。
【図３】遊技制御装置の上面側から見た斜視図である。
【図４】遊技制御装置の上面側から見た分解斜視図である。
【図５】（ａ）第１ケース部材を上面側から見た斜視図、（ｂ）第１ケース部材を下面側から見た斜視図である。
【図６】（ａ）第１ケース部材を上面側から見た断面図であり、右第１固着部及び右側の第１溶着受部の近傍を拡大した図、（ｂ）第１ケース部材を上面側から見た断面図であり、左第１固着部及び左側の第１溶着受部の近傍を拡大した図である。
【図７】（ａ）第１ケース部材を上面側から見た斜視図であり、露出用切欠部の近傍を拡大した図、（ｂ）第１ケース部材を後側面側から見た断面図であり、露出用切欠部の近傍を拡大した図である。
【図８】（ａ）第２ケース部材を上面側から見た斜視図、（ｂ）第２ケース部材を下面側から見た斜視図である。
【図９】（ａ）第２ケース部材を上面側から見た断面図であり、右第２固着部及び右側の第２溶着受部の近傍を拡大した図、（ｂ）第２ケース部材を上面側から見た断面図であり、左第２固着部及び左側の第２溶着受部の近傍を拡大した図である。
【図１０】（ａ）第２ケース部材を上面側から見た斜視図であり、囲繞カバー部の近傍を拡大した図（ｂ）第２ケース部材を後側面側から見た断面図であり、囲繞カバー部の近傍を拡大した図、（ｃ）第２ケース部材を右側面側から見た断面図である。
【図１１】（ａ）第２ケース部材を下面側から見た斜視図であり、コネクタ用開口の近傍を拡大した図、（ｂ）第２ケース部材を右側面側から見た断面図であり、コネクタ用開口の近傍を拡大した図、（ｃ）第２ケース部材を前側面側から見た断面図であり、コネクタ用開口の近傍を拡大した図である。
【図１２】（ａ）第２ケース部材を前面側から見た斜視図であり、第２溶着受部の近傍を拡大した図、（ｂ）溶着部材を上面側から見た斜視図、（ｃ）溶着部材を下面側から見た斜視図である。
【図１３】（ａ）保護カバー部材を左側面側から見た斜視図、（ｂ）保護カバー部材を左側面側から見た断面斜視図である。
【図１４】（ａ）電子タグシールを表面側から見た図、（ｂ）電子タグシールを裏面側から見た図、（ｃ）電子タグシールの分解斜視図である。
【図１５】遊技制御基板を上面側から見た斜視図である。
【図１６】（ａ）遊技制御基板を上面側右方から見た斜視図であり、制御デバイスの近傍を拡大した図、（ｂ）遊技制御基板を上面側左方から見た斜視図であり、制御デバイスの近傍を拡大した図である。
【図１７】（ａ）端子カバー部材を上面側から見た斜視図、（ｂ）端子カバー部材を下面側から見た斜視図である。
【図１８】（ａ）コネクタに対する端子カバー部材の取り付けを説明するための図、（ｂ）コネクタに端子カバー部材を取り付けた状態を示す図である。
【図１９】（ａ）第２ケース部材に対する遊技制御基板の取り付けを説明するための図、（ｂ）第２ケース部材に遊技制御基板を取り付けた状態を示す図である。
【図２０】（ａ）第２ケース部材に遊技制御基板を取り付けた状態を後側面側から見た断面図であり、コネクタの近傍を拡大した図、（ｂ）第２ケース部材に遊技制御基板を取り付けた状態を後側面側から見た断面図であり、制御デバイスの近傍を拡大した図である。
【図２１】第１ケース部材に対する第２ケース部材のスライド挿入と、第１ケース部材と第２ケース部材との結合と、を説明するための図である。
【図２２】（ａ）遊技制御装置を上面側から見た斜視図であり、左側端封止手段及び右側端封止手段の近傍を拡大した図、（ｂ）遊技制御装置を下面側から見た斜視図であり、右側端封止手段の近傍を拡大した図である。
【図２３】（ａ）貼着領域に対する電子タグシールの貼着と、右側端封止手段に対する保護カバー部材の取り付けと、を説明するための図、（ｂ）右側端封止手段に保護カバー部材を取り付けた状態を示す図である。
【図２４】（ａ）遊技制御装置を右側面側から見た断面図、（ｂ）遊技制御装置を後側面側から見た断面図であり、制御デバイスの近傍を拡大した図である。
【図２５】（ａ）遊技制御装置を右側面側から見た断面図であり、コネクタ用開口の近傍を拡大した図、（ｂ）遊技制御装置を右側面側から見た断面図であり、コネクタ用開口の近傍をさらに拡大した図である。
【図２６】遊技制御装置を上面側から見た断面図であり、左側端封止手段及び右側端封止手段の近傍を拡大した図である。
【図２７】遊技制御装置を右側面側から見た断面図であり、溶着封止手段の近傍を拡大した図である。
【発明を実施するための形態】
【００２７】
以下、本発明の好適な実施の形態を図面に基づいて説明する。
図１は、本発明の一実施形態の遊技機の説明図である。
【００２８】
本実施形態の遊技機１０は前面枠１２を備え、当該前面枠１２は本体枠（外枠）１１にヒンジ１３を介して開閉回動可能に組み付けられている。遊技盤３０は前面枠１２の表側に形成された収納部（図示省略）に収納されている。また、前面枠（内枠）１２には、遊技盤３０の前面を覆うカバーガラス（透明部材）１４を備えたガラス枠１５が取り付けられている。
【００２９】
また、ガラス枠１５の上部には、内部にランプ及びモータを内蔵した照明装置（ムービングライト）１６や払出異常報知用のランプ（ＬＥＤ）１７が設けられている。また、ガラス枠１５の左右には内部にランプ等を内蔵し装飾や演出のための発光をする枠装飾装置１８や、音響（例えば、効果音）を発するスピーカ（上スピーカ）１９ａが設けられている。さらに、前面枠１２の下部にもスピーカ（下スピーカ）１９ｂが設けられている。
【００３０】
また、前面枠１２の下部には、図示しない打球発射装置に遊技球を供給する上皿２１、遊技機１０の裏面側に設けられている球払出装置５４から払い出された遊技球が流出する上皿球出口２２、上皿２１が一杯になった状態で払い出された遊技球を貯留する下皿２３及び打球発射装置の操作部２４等が設けられている。さらに、上皿２１の上縁部には、遊技者からの操作入力を受け付けるための操作スイッチを内蔵した演出ボタン２５が設けられている。さらに、前面枠１２下部右側には、前面枠１２を開放したり施錠したりするための鍵２６が設けられている。
【００３１】
この実施形態の遊技機１０においては、遊技者が上記操作部２４を回動操作することによって、打球発射装置が、上皿２１から供給される遊技球を遊技盤３０前面の遊技領域に向かって発射する。また、遊技者が演出ボタン２５を操作することによって、表示装置（図示省略）における変動表示ゲーム（飾り特図変動表示ゲーム）において、遊技者の操作を介入させた演出等を行わせることができる。さらに、上皿２１上方のガラス枠１５の前面には、遊技者が隣接する球貸機から球貸しを受ける場合に操作する球貸ボタン２７、球貸機のカードユニットからプリペイドカードを排出させるために操作する排出ボタン２８、プリペイドカードの残高を表示する残高表示部（図示省略）等が設けられている。
【００３２】
図２には、遊技機１０の裏面の構造が示されている。
前面枠１２の裏面上部には、払出し前の遊技球を貯留する貯留タンク５１と、外部への情報（例えば、図柄確定信号、大当り信号、確率変動信号、賞球信号、貸球信号等）を出力する外部情報端子板４１と、が設けられている。また、貯留タンク５１の底部には、緩やかな傾斜を有し遊技球を遊技機１０の一側へ向けて誘導するシュート５２が接続され、シュート５２の終端には、遊技球の流下方向を水平方向から垂直方向へと変換する屈曲流路装置５３が接続されている。そして、この屈曲流路装置５３の下端に駆動源を有する球払出装置５４が配設され、この球払出装置５４によって所定数の遊技球を払出し可能に構成されている。
【００３３】
さらに、前面枠１２の裏面中央部には、表示装置（画像表示装置）における変動表示ゲームの演出の制御を行う演出制御装置８０と、演出制御装置８０等の各種装置を統括制御する遊技制御装置１００と、等が配設されている。
また、前面枠１２の裏面下部には、球払出装置５４を制御する払出制御装置６０と、遊技機１０側とカードユニット側とで授受される信号を中継するカードユニット中継基板７０と、遊技制御装置１００等の各種制御装置に電源供給を行う電源装置９０と、等が設けられている。
【００３４】
次に、本実施形態の遊技機１０が特徴とする遊技制御装置１００（制御装置）について説明する。
遊技制御装置１００は、例えば図３、図４に示すように、遊技機１０の動作制御等を行うことで遊技の進行を統括的に制御する遊技制御基板１１０（制御基板）と、当該遊技制御基板１１０を内部に収納するための基板ボックス１２０と、を備えて構成される。
そして、遊技制御装置１００においては、予め記憶された固有の識別情報を発信可能な電子タグ１３１を有する電子タグシール１３０や、当該遊技制御装置１００の管理番号等が印字された管理番号シール１４０、当該遊技制御装置１００を備える遊技機１０の機種等が印字された機種シール１５０などが、基板ボックス１２０（具体的には、基板ボックス１２０が備える第１ケース部材２００（後述）等）に貼着されている。
【００３５】
遊技制御装置１００は、遊技盤３０の背面に取り付けられて当該遊技盤３０が前面枠１２に取り付けられることによって、例えば図２に示すように、遊技機１０の背面側から視認可能に配されている。したがって、以下の説明では、遊技機１０の背面側に配された遊技制御装置１００を遊技機１０の背面側から見た場合（図２参照）に、遊技機１０の背面側から視認可能な側を上側、遊技盤３０に取り付けられた側を下側とし、上になる側を後側、下になる側を前側とし、左になる側を左側、右になる側を右側とする。
【００３６】
遊技制御基板１１０は、例えば図４、図１５、図１６（ａ），（ｂ）に示すように、その外形が矩形状を呈してなる面実装タイプの基板である。すなわち、遊技制御基板１１０は、一方向（左右方向）に長尺な基板であり、当該遊技制御基板１１０の表面１１０ａに、遊技制御用の電子部品１１１，１１１，…及びコネクタ（コネクタ端子）１１６，１１６，…が面実装されている。
なお、図面では、遊技機１０の出荷前における遊技制御装置１００の検査時に使用される検査用端子１１７がコネクタの一種として遊技制御基板１１０に実装されているが、当該検査用端子１１７は、遊技機１０の出荷時には遊技制御基板１１０から取り外される。したがって、本実施形態において、コネクタ１１６は、検査用端子１１７以外のコネクタを指すものとする。
【００３７】
遊技制御基板１１０においては、例えば図１５に示すように、当該遊技制御基板１１０の表面１１０ａのうちの後部にコネクタ１１６が実装されており、当該遊技制御基板１１０の表面１１０ａのうちの後部以外の部分（前後方向中央部及び前部）に電子部品１１１が実装されている。
すなわち、遊技制御基板１１０は、当該遊技制御基板１１０の長手方向（左右方向）に沿った一方の端部（後端部）側に、他の装置と接続するためのコネクタ１１６が実装されている。
また、遊技制御基板１１０は、当該遊技制御基板１１０の長手方向に沿った他方の端部（前端部）側に、遊技機１０の動作に関する電気的制御を実行するための電子部品１１１が実装されている。
【００３８】
電子部品１１１には、例えば図１５に示すように、記憶された遊技プログラムに従って遊技の制御を行う制御デバイス１１２（遊技用マイクロコンピュータ）と、実装時の高さが当該制御デバイス１１２よりも低いその他の電子部品１１１と、が含まれている。
制御デバイス１１２には、ＣＰＵ、ＲＯＭ、ＲＡＭ等を１チップ化したアミューズチップが内蔵されており、側面に当該制御デバイス１１２を識別するための識別情報が付されたＺＩＰ（Zigzag Inline Package）タイプの電子部品である。そのため、制御デバイス１１２は、上面に個体を識別するための識別子が付された面実装部品であるその他の電子部品１１１とは異なり、遊技制御基板１１０に立設されている。したがって、遊技制御基板１１０に実装されている制御デバイス１１２は、遊技制御基板１１０に実装されているその他の電子部品１１１よりも高さが高く、上方に突出している。
【００３９】
また、制御デバイス１１２は、一方向に長尺な電子部品であり、遊技制御基板１１０の短手方向（すなわち、第１ケース部材２００に対する第２ケース部材３００のスライド方向（後述））に沿って、遊技制御基板１１０に実装されている。そして、制御デバイス１１２が遊技制御基板１１０に実装された状態において、当該制御デバイス１１２の印字面１１２ａ（すなわち、当該制御デバイス１１２を識別するための識別情報等が印字された面）は、遊技制御基板１１０の短手方向に沿った互いに対向する側方のうちの何れか一方（本実施形態では右側方）を向いている。
【００４０】
ここで、本実施形態では、制御デバイス１１２の近傍に、その他の電子部品１１１を実装しないよう構成されている。
すなわち、遊技制御基板１１０の表面１１０ａにおいては、制御デバイス１１２が実装された領域の周囲に、何れの電子部品１１１も実装されていない非実装領域が設けられている。
そして、例えば図１５に示すように、非実装領域のうちの右側（すなわち、制御デバイス１１２の印字面１１２ａ側）の幅（左右方向の長さ）Ｌ１２は、左側の幅Ｌ１１よりも大きくなるよう設定されている。
【００４１】
コネクタ１１６には、例えば図１５に示すように、遊技者に付与する遊技価値に影響を及ぼす信号（具体的には、遊技の結果に関する信号等）を入出力する端子の他に、遊技制御装置１００を電源装置９０と接続するための電源用端子１１８や、遊技機１０の出荷後における遊技制御装置１００の検査時に使用される外部通信端子１１９が含まれている。
ここで、本実施形態では、複数のコネクタ１１６のうちの外部通信端子１１９が最も上方に突出するよう構成されている。
【００４２】
また、本実施形態では、例えば図１５に示すように、遊技制御基板１１０のうちの、最も左側に実装されたコネクタ１１６（本実施形態では外部通信端子１１９）よりも外側の位置と、最も右側に実装されたコネクタ１１６（本実施形態では電源用端子１１８）よりも外側の位置と、のそれぞれに、なべネジ１７０（図１９（ａ）参照）の軸部が上下方向に挿通可能なネジ孔１１０ｂが設けられている。
【００４３】
基板ボックス１２０は、例えば図３、図４に示すように、遊技制御基板１１０を収納するための閉止空間Ｓを画成する第１ケース部材２００及び第２ケース部材３００と、第１ケース部材２００と第２ケース部材３００とを合体させて閉止空間Ｓを画成する閉止状態を保持したまま、第１ケース部材２００と第２ケース部材３００とを離反不能に結合することが可能な固着封止手段（左側端封止手段４００、右側端封止手段５００）及び溶着封止手段６００と、電子タグシール１３０を貼着するための貼着領域Ｒ（図２３（ａ）において網掛けされた領域）と、貼着領域Ｒに貼着された電子タグシール１３０を保護するための保護カバー部材７００と、を備えて構成される。
【００４４】
第１ケース部材２００は、例えば図４、図２１に示すように、一側部（後側部）に挿入開口２００ａを有する凹室状の収納空間Ｓ＊を画成している。
第２ケース部材３００は、例えば図４、図２１に示すように、遊技制御基板１１０を収納空間Ｓ＊内に配置した状態で第１ケース部材２００と合体することが可能であるとともに、当該合体した状態で挿入開口２００ａの縁部と接合して当該挿入開口２００ａを閉塞することが可能となるよう構成されている。具体的には、第２ケース部材３００は、遊技制御基板１１０を取り付けることが可能となるよう構成されている。また、第２ケース部材３００は、収納空間Ｓ＊を閉止する閉止状態への変換時に挿入開口２００ａから収納空間Ｓ＊内へとスライド挿入されて、閉止状態において挿入開口２００ａの縁部と接合して当該挿入開口２００ａを閉塞することにより第１ケース部材２００とともに閉止空間Ｓ（閉止された収納空間Ｓ＊）を画成することが可能となるよう構成されている。
【００４５】
すなわち、例えば図２１に示すように、第２ケース部材３００に遊技制御基板１１０を取り付けた状態で、第２ケース部材３００を、挿入開口２００ａから第１ケース部材２００の内部（収納空間Ｓ＊内）へと、第１ケース部材２００の短手方向（前後方向）に沿って前向きにスライド挿入して、例えば図３に示すように、第１ケース部材２００と第２ケース部材３００とを合体させると、第１ケース部材２００の挿入開口２００ａが第２ケース部材３００（具体的には、第２ケース部材３００の開口閉塞部３１０（後述））で閉塞されて、収納空間Ｓ＊が閉止された閉止状態（閉止空間Ｓが画成された状態）となる。
【００４６】
遊技制御基板１１０は、閉止状態への変換時には、当該遊技制御基板１１０が取り付けられた第２ケース部材３００とともに挿入開口２００ａから収納空間Ｓ＊内へとスライド挿入され、閉止状態においては、閉止空間Ｓ（閉止された収納空間Ｓ＊）内に配置されることになる。閉止状態においては、遊技制御基板１１０が基板ボックス１２０に完全に内包された状態となるので、当該閉止状態を保持したまま、固着封止手段（左側端封止手段４００、右側端封止手段５００）及び溶着封止手段６００によって第１ケース部材２００と第２ケース部材３００とを離反不能に結合すると、大当りの抽選や遊技の進行制御などの遊技に関する種々の処理を実行する遊技制御基板１１０に対する不正行為等を回避することが可能となる。
また、第１ケース部材２００や第２ケース部材３００は、例えば透光性の合成樹脂で形成されており、基板ボックス１２０に内包された遊技制御基板１１０を遊技制御装置１００の外部から視認できるようになっている。
【００４７】
まず、基板ボックス１２０が備える第１ケース部材２００について説明する。
第１ケース部材２００は、例えば図４、図５（ａ），（ｂ）に示すように、その外形が遊技制御基板１１０の外形に対応する一方向（左右方向）に長尺な直方体形状を呈してなる部材であり、当該第１ケース部材２００の長手方向（左右方向）に沿った互いに対向する側部のうちの何れか一方（後側部）に挿入開口２００ａが形成されている。
【００４８】
具体的には、第１ケース部材２００は、例えば図５（ａ），（ｂ）に示すように、遊技制御装置１００の下面をなす左右方向に長尺な矩形状の下壁２１０と、遊技制御装置１００の上面の一部（前後方向中央部及び前部）をなす左右方向に長尺な矩形状の上壁２２０と、遊技制御装置１００の左側面の一部（前後方向中央部及び前部）をなし、上壁２２０の左端部全域から下側に向けて突設されて上壁２２０の左端部と下壁２１０の左端部とを連結する左側壁２３０と、遊技制御装置１００の右側面の一部（前後方向中央部及び前部）をなし、上壁２２０の右端部全域から下側に向けて突設されて上壁２２０の右端部と下壁２１０の右端部とを連結する右側壁２４０と、遊技制御装置１００の前側面をなし、上壁２２０の前端部全域から下側に向けて突設されて上壁２２０の前端部と下壁２１０の前端部とを連結する前側壁２５０と、により構成されている。
【００４９】
ここで、下壁２１０の短手方向（前後方向）の長さは、遊技制御基板１１０の短手方向の長さよりも若干長くなるよう設定されているとともに、下壁２１０の長手方向（左右方向）の長さは、遊技制御基板１１０の長手方向の長さよりも若干長くなるよう設定されている。
また、上壁２２０の長手方向（左右方向）の長さは、下壁２１０（具体的には、下壁２１０の前後方向中央部及び前部）の長手方向の長さと同一となるよう設定されており、上壁２２０の短手方向（前後方向）の長さは、下壁２１０の短手方向の長さよりも短くなるよう設定されている。
また、左側壁２３０及び右側壁２４０の前後方向の長さは、上壁２２０の短手方向の長さと同一となるよう設定されている。
すなわち、挿入開口２００ａは、第１ケース部材２００の側部（具体的には、左側部の一部（後部）、後側部及び右側部の一部（後部））から第１ケース部材２００の上部の一部（後部）にかけて開口している。
【００５０】
また、上壁２２０の長手方向の長さは、下壁２１０（具体的には、下壁２１０の前後方向中央部及び前部）の長手方向の長さと同一であるとともに、上壁２２０の短手方向の長さは、下壁２１０の短手方向の長さよりも短いので、閉止空間Ｓに遊技制御基板１１０を収納した状態（収納空間Ｓ＊内に遊技制御基板１１０を配置した状態）において、下壁２１０は、当該遊技制御基板１１０の裏面（下面）全体を被覆可能であるのに対し、上壁２２０は、当該遊技制御基板１１０の表面１１０ａ（上面）のうちの前後方向中央部及び前部（すなわち、電子部品１１１，１１１，…が実装された部分）のみを被覆して、当該遊技制御基板１１０の表面１１０ａのうちの後部（すなわち、コネクタ１１６，１１６，…が実装された部分）は被覆しないよう構成されている。すなわち、閉止空間Ｓに遊技制御基板１１０を収納した状態において、当該遊技制御基板１１０の前後方向中央部及び前部は収納空間Ｓ＊内に配置され、当該遊技制御基板１１０の後部は収納空間Ｓ＊内に配置されないよう構成されている。
【００５１】
また、下壁２１０は、例えば図５（ａ），（ｂ）に示すように、当該下壁２１０の後部（すなわち、当該下壁２１０のうちの上壁２２０と対向しない部分）の長手方向の長さが、当該下壁２１０の後部以外の部分（すなわち、当該下壁２１０の前後方向中央部及び前部であり、当該下壁２１０のうちの上壁２２０と対向する部分）の長手方向の長さよりも短くなるよう形成されている。
【００５２】
また、下壁２１０には、例えば図５（ｂ）に示すように、第１ケース部材２００（特に下壁２１０）を補強するための補強リブ２１１が設けられている。
なお、本実施形態では、補強リブ２１１を、下壁２１０の下面のうちの左端部分全域に設けられたリブと、下壁２１０の下面のうちの右端部分全域に設けられたリブと、下壁２１０の下面のうちの後端部分左側に設けられて左端部分全域のリブと連結するリブと、下壁２１０の下面のうちの後端部分右側に設けられて右端部分全域のリブと連結するリブと、下壁２１０の下面のうちの前端部分中央部に設けられたリブと、後端部分左側のリブと前端部分中央部のリブとを連結するリブと、後端部分右側のリブと前端部分中央部のリブとを連結するリブと、により構成したが、これに限ることはなく、補強リブ２１１によって第１ケース部材２００（特に下壁２１０）を補強できるのであれば、補強リブ２１１の構成は任意である。
【００５３】
上壁２２０は、例えば図５（ａ）、図７（ａ）に示すように、閉止状態において第２ケース部材３００の囲繞カバー本体部３３１（後述）に対応する位置に、当該上壁２２０の挿入開口２００ａ側の端部（後端部）から前端部までに亘って、収納空間Ｓ＊の奥行き方向（前後方向）に沿って設けられた露出用切欠部２２１を有している。
また、上壁２２０は、例えば図５（ａ）、図７（ａ）に示すように、当該上壁２２０のうちの露出用切欠部２２１の左右の縁部に収納空間Ｓ＊の奥行き方向（前後方向）に延設されたスライドガイド溝部２２２を有している。具体的には、スライドガイド溝部２２２は、上壁２２０のうちの露出用切欠部２２１を挟む左右両側の所定幅の領域それぞれが折曲されて、下方及び後方に開口するよう形成されており、閉止状態への変換時及び閉止状態時に第２ケース部材３００のスライドガイド壁３３２ａ（後述）と係合可能となっている。そして、上壁２２０には、例えば図７（ａ），（ｂ）に示すように、右側のスライドガイド溝部２２２の形成に伴って上壁２２０の外面（上面）に形成された左右の角部のうちの左側の角部が面取りされて面取り部２２２ａが形成されている。
【００５４】
また、上壁２２０には、例えば図５（ａ）、図７（ａ）に示すように、露出用切欠部２２１のうちの挿入開口２００ａ側とは反対側の部分を閉塞する侵入防止壁２２３が設けられている。
また、右側壁２４０には、例えば図５（ａ）に示すように、当該右側壁２４０の上端部のうちの後端から前後方向中央よりも前側の所定位置までに亘って、右側端封止手段５００に取り付けられた保護カバー部材７００の位置ズレを規制するためのストッパー２４１が設けられている。
また、挿入開口２００ａに対向する前側壁２５０（奥側壁）は、例えば図６（ａ），（ｂ）、図７（ｂ）に示すように、左右方向中央と左右方向中央よりも左側の所定位置と右側の所定位置とのそれぞれに、第２溶着受部６２０（後述）を挿通可能な凸字形状の挿通口２５１を有している。
【００５５】
次に、基板ボックス１２０が備える第２ケース部材３００について説明する。
第２ケース部材３００は、例えば図４、図８（ａ），（ｂ）に示すように、遊技制御基板１１０を下方から取り付けることが可能であるとともに、当該第２ケース部材３００に取り付けられた遊技制御基板１１０の外周を囲繞することが可能な枠状を呈してなる部材であり、基板取付部を画成している。
【００５６】
具体的には、第２ケース部材３００は、第１ケース部材２００と合体した状態で挿入開口２００ａの縁部と接合して当該挿入開口２００ａを閉塞することが可能な開口閉塞部３１０と、当該第２ケース部材３００に取り付けられた遊技制御基板１１０を支持することが可能な基板支持部（挿入部）３２０と、当該第２ケース部材３００に取り付けられた遊技制御基板１１０に実装されている制御デバイス１１２の周囲を囲繞することが可能な囲繞カバー部３３０と、を備えて構成される。
そして、第２ケース部材３００においては、例えば図２６に示すように、開口閉塞部３１０（具体的には、開口閉塞部３１０の側方閉塞部３１６（後述））と、基板支持部（挿入部）３２０と、によって当該第２ケース部材３００に取り付けられた遊技制御基板１１０の外周を囲繞するよう構成されている。
【００５７】
ここで、本実施形態において挿入開口２００ａの縁部とは、第１ケース部材２００において、下壁２１０の後端部と、下壁２１０の左端部のうちの後部と、左側壁２３０の後端部と、上壁２２０の後端部と、右側壁２４０の後端部と、下壁２１０の右端部のうちの後部と、よりなる一続きの部分である。そして、閉止状態において、第１ケース部材２００における当該一続きの部分と、第２ケース部材３００と、の重合境界が、第１ケース部材２００と第２ケース部材３００との接合部分になる。
【００５８】
第２ケース部材３００の左右方向の長さは、収納空間Ｓ＊の左右方向の長さと略同一となるよう設定されている。
また、第２ケース部材３００の前後方向中央部及び前部をなす基板支持部（挿入部）３２０の前後方向の長さは、収納空間Ｓ＊の前後方向の長さと略同一となるよう設定されているとともに、基板支持部（挿入部）３２０の上下方向の長さは、収納空間Ｓ＊の上下方向の長さと略同一となるよう設定されている。すなわち、第２ケース部材３００のうちの基板支持部（挿入部）３２０のみが、閉止状態において収納空間Ｓ＊内に配置されるよう構成されている。
また、第２ケース部材３００の後部をなす開口閉塞部３１０の前後方向の長さは、下壁２１０の後部の前後方向の長さよりも若干長くなるよう設定されている。具体的には、閉止状態において、開口閉塞部３１０（具体的には、開口閉塞部３１０の当接部３１１ａ（後述））が、第１ケース部材２００を構成する上壁２２０の後端部に対して後側から当接するとともに、開口閉塞部３１０（具体的には、開口閉塞部３１０の側方閉塞部３１６（後述）を構成する後側壁部）が、第１ケース部材２００を構成する下壁２１０の後端部に対して後側から当接するよう構成されている。
【００５９】
開口閉塞部３１０は、例えば図８（ａ），（ｂ）に示すように、挿入開口２００ａを第１ケース部材２００の上部の一部側（後部側）から閉塞することが可能な上方閉塞部３１１と、遊技制御装置１００の左側面の一部（後部）と後面と右側面の一部（後部）とをなし、挿入開口２００ａを第１ケース部材２００の側部側（具体的には、左側部の一部（後部）側、後側部側及び右側部の一部（後部）側）から閉塞することが可能な側方閉塞部３１６と、により構成されている。
ここで、遊技制御基板１１０は、例えば図４に示すように、当該遊技制御基板１１０に実装されているコネクタ１１６が開口閉塞部３１０側に位置し、かつ、当該遊技制御基板１１０の表面１１０ａが当該開口閉塞部３１０（具体的には、当該開口閉塞部３１０の下面）に対向するよう第２ケース部材３００に取り付けられる。すなわち、開口閉塞部３１０は、第２ケース部材３００に遊技制御基板１１０を取り付けた状態において、当該開口閉塞部３１０の下面が、当該遊技制御基板１１０の表面１１０ａのうちの後部に対向するよう構成されている。
【００６０】
上方閉塞部３１１は、例えば図８（ａ），（ｂ）に示すように、左右方向に長尺な矩形状を呈してなり、第２ケース部材３００に取り付けられた遊技制御基板１１０に実装されているコネクタ１１６，１１６，…に対応する位置に、閉止状態において当該コネクタ１１６，１１６，…（具体的には、当該コネクタ１１６，１１６，…の本体部（コネクタ１１６本体部））を基板ボックス１２０の外部に露出させるためのコネクタ用開口３１２，３１２，…を有している。
また、上方閉塞部３１１は、例えば図８（ｂ）に示すように、当該上方閉塞部３１１の下面のうちのコネクタ用開口３１２の縁部の周囲に遊技制御基板１１０側（下側）に向けて突設されて、端子カバー部材１６０の端子カバー本体部１６１（後述）を囲繞するための端子カバー囲繞壁３１３を有している。
【００６１】
ここで、本実施形態では、基板ボックス１２０は、例えば図１８（ａ）に示すように、コネクタ１１６の脚部（コネクタ端子部）１１６ａ，１１６ａ，…を保護することが可能な端子カバー部材１６０を備えており、例えば図１８（ｂ）、図１９（ａ），（ｂ）に示すように、コネクタ１１６に端子カバー部材１６０を装着（嵌装）した状態で、遊技制御基板１１０を第２ケース部材３００に取り付けるよう構成されている。
これにより、脚部１１６ａの破損や脚部１１６ａへの不正アクセスなどを回避することが可能となる。すなわち、本実施形態では、コネクタ１１６，１１６，…が遊技制御基板１１０に面実装されているので、例えば図１８（ａ）に示すように、コネクタ１１６の脚部１１６ａ，１１６ａ，…は、当該コネクタ１１６本体部の下端部から側方に突設されており、遊技制御基板１１０の表面１１０ａから突出している。そのため、このままでは、脚部１１６ａの破損や脚部１１６ａへの不正アクセスなどの不都合が発生し易いが、本実施形態では、独立した各端子カバー部材１６０により脚部１１６ａ，１１６ａ，…を保護しているので、当該不都合を回避することができる。
【００６２】
なお、本実施形態では、例えば図１５、図１９（ａ）に示すように、遊技者に付与する遊技価値に影響を及ぼす信号を入出力するコネクタ１１６（具体的には、電源用端子１１８や外部通信端子１１９以外のコネクタ１１６）の脚部１１６ａのみが表面１１０ａから突出しており、脚部１１６ａが表面１１０ａから突出しているコネクタ１１６に端子カバー部材１６０を装着するよう構成したが、これに限ることはなく、例えば、脚部１１６ａが表面１１０ａから突出しているコネクタ１１６のうちの特定のコネクタ１１６のみに端子カバー部材１６０を装着するよう構成しても良いし、脚部１１６ａが表面１１０ａから突出しているか否かにかかわらず全てのコネクタ１１６に端子カバー部材１６０を装着するよう構成しても良い。
【００６３】
端子カバー部材１６０は、例えば図１７（ａ），（ｂ）に示すように、第２ケース部材３００の開口閉塞部３１０を構成する上方閉塞部３１１と遊技制御基板１１０との間に挟持されてコネクタ１１６の脚部１１６ａ，１１６ａ，…を保護するための端子カバー本体部１６１と、端子カバー本体部１６１の上面に立設された起立壁部１６２と、により構成されている。
【００６４】
端子カバー本体部１６１は、その外形が直方体形状を呈してなり、その内部に下部に開口を有する凹室状の空間が形成されている。また、端子カバー本体部１６１は、当該端子カバー本体部１６１を構成する上壁部に、対応するコネクタ１１６（コネクタ１１６本体部）の上面視外形と同一形状のコネクタ挿入口を有している。そして、端子カバー本体部１６１は、例えば図２５（ａ），（ｂ）に示すように、端子カバー部材１６０をコネクタ１１６に装着（嵌装）した状態（すなわち、端子カバー本体部１６１の下端部が遊技制御基板１１０の表面１１０ａに接した状態）において、コネクタ１１６の脚部１１６ａに接することなく、端子カバー本体部１６１の内部（凹室状の空間内）に、当該コネクタ１１６の脚部１１６ａ，１１６ａ，…を収納（収容）可能となるよう構成されている。
【００６５】
すなわち、端子カバー本体部１６１は、当該端子カバー本体部１６１の内部にコネクタ１１６の脚部１１６ａを収容するための空間が形成され、端子カバー部材１６０がコネクタ１１６に嵌装されると、当該端子カバー本体部１６１の内部に当該コネクタ１１６の脚部１１６ａを収容した状態で当該脚部１１６ａを上部から側部にかけて覆うよう構成されている。
また、端子カバー本体部１６１は、基板ボックス１２０の上方閉塞部３１１と遊技制御基板１１０との間に挟持された状態で、当該端子カバー本体部１６１の内面がコネクタ１１６の脚部１１６ａに接しない高さに設定されている。
【００６６】
起立壁部１６２は、端子カバー本体部１６１を構成する上壁部の上面のうちのコネクタ挿入口の縁部からコネクタ１１６本体部の側面に沿って上側に向けて突設されている。
ここで、本実施形態では、例えば図２０（ａ）、図２５（ａ），（ｂ）に示すように、基板に対するコネクタ１１６の取り付けガタ等に対応できるよう、コネクタ用開口３１２のサイズが、対応するコネクタ１１６（コネクタ１１６本体部）の上面視外形よりも大きく設定されており、コネクタ用開口３１２の端面と、コネクタ１１６本体部の外側面と、の間には隙間が生じている。また、端子カバー本体部１６１のコネクタ挿入口の形状は対応するコネクタ１１６（コネクタ１１６本体部）の上面視外形と同一であり、起立壁部１６２は当該コネクタ挿入口の縁部から突設されているので、端子カバー部材１６０をコネクタ１１６に装着した状態において、起立壁部１６２は、コネクタ用開口３１２の端面と、当該コネクタ１１６本体部の外側面と、の間に生じている隙間に配置された状態で、当該起立壁部１６２の内面が当該コネクタ１１６本体部の外側面と当接している。
このように、起立壁部１６２を設けることにより、コネクタ１１６に端子カバー部材１６０を的確に取り付けることが可能となる。
また、端子カバー本体部１６１が有するコネクタ挿入口は、対応するコネクタ１１６（コネクタ１１６本体部）の上面視外形と同一形状であり、端子カバー部材１６０をコネクタ１１６に装着した状態において、当該コネクタ挿入口の端面と、当該コネクタ１１６本体部の外側面と、は当接している。そのため、当該コネクタ挿入口から針金やピアノ線などを挿入することは困難であるが、さらに本実施形態では、起立壁部１６２を設けることによって、当該コネクタ挿入口からの針金やピアノ線などの挿入を一層困難にしているので、脚部１１６ａへの不正アクセス等を十分に回避することが可能となる。
【００６７】
また、起立壁部１６２には、例えば図１７（ａ），（ｂ）に示すように、当該起立壁部１６２の上端部のうちの外側の角部が面取りされてテーパ部１６２ａが形成されている。
すなわち、起立壁部１６２の上端部には、外側に向けて下り傾斜するテーパ部１６２ａが設けられているので、端子カバー部材１６０が装着されたコネクタ１１６を、コネクタ用開口３１２の下方から挿入し易くなり、第２ケース部材３００に遊技制御基板１１０を取り付ける際の作業性が向上する。
【００６８】
端子カバー囲繞壁３１３は、例えば図２０（ａ）、図２５（ａ），（ｂ）に示すように、第２ケース部材３００に遊技制御基板１１０を取り付けた状態において、当該端子カバー囲繞壁３１３の先端部（下端部）が当該遊技制御基板１１０の表面１１０ａと当接し、かつ、上方閉塞部３１１の下面（具体的には、上方閉塞部３１１の下面のうちのコネクタ用開口３１２の縁部）が端子カバー部材１６０の端子カバー本体部１６１の上面と当接するよう、上方閉塞部３１１の下面のうちのコネクタ用開口３１２の縁部の周囲から下側に向けて突設されている。
これにより、遊技制御基板１１０への不正アクセス等を回避することが可能となる。すなわち、本実施形態では、基板に対するコネクタ１１６の取り付けガタ等に対応できるよう、コネクタ用開口３１２のサイズが、対応するコネクタ１１６に装着される端子カバー部材１６０の起立壁部１６２の上面視外形よりも若干大きく設定されており、コネクタ用開口３１２の端面と、起立壁部１６２の外側面と、の間に隙間が生じているので、当該隙間から針金やピアノ線などが挿入される虞れがある。本実施形態では、上方閉塞部３１１の下面と端子カバー本体部１６１の上面とが当接しているので、当該隙間から挿入された針金やピアノ線などが基板ボックス１２０の内部（閉止空間Ｓ内）へと侵入することは困難であるが、さらに本実施形態では、先端部が遊技制御基板１１０の表面１１０ａと当接する端子カバー囲繞壁３１３でコネクタ用開口３１２の周囲を囲むことによって、当該侵入を一層困難にしているので、遊技制御基板１１０への不正アクセス等を十分に回避することが可能となる。
【００６９】
また、端子カバー囲繞壁３１３は、第２ケース部材３００に遊技制御基板１１０を取り付けた状態において、当該端子カバー囲繞壁３１３の内側面が、端子カバー部材１６０の端子カバー本体部１６１の外側面と当接しない位置に設けられている。
これにより、基板に対するコネクタ１１６の取り付けガタ等に十分に対応することが可能となる。すなわち、第２ケース部材３００に遊技制御基板１１０を取り付けた状態において、端子カバー囲繞壁３１３の内側面と、端子カバー本体部１６１の外側面と、が当接するように端子カバー囲繞壁３１３が設けられている場合、遊技制御基板１１０を第２ケース部材３００に取り付ける際に、取り付けガタ等の影響で、端子カバー部材１６０が装着されたコネクタ１１６をコネクタ用開口３１２に的確に挿入できない等の虞れがある。これに対し、本実施形態では、第２ケース部材３００に遊技制御基板１１０を取り付けた状態において、端子カバー囲繞壁３１３の内側面と、端子カバー本体部１６１の外側面と、が当接しないように端子カバー囲繞壁３１３を設けているので、取り付けガタ等が生じていても、遊技制御基板１１０を第２ケース部材３００に取り付ける際に、端子カバー部材１６０が装着されたコネクタ１１６をコネクタ用開口３１２に的確に挿入することができることとなって、当該取り付けガタ等に十分に対応することが可能となる。
【００７０】
ここで、遊技制御基板１１０は、例えば図８（ｂ）、図１１（ａ），（ｂ），（ｃ）、図２０（ａ）に示すように、同一の幅を有するコネクタ１１６（本実施形態ではコネクタ１１６本体部の前後方向の長さが同一のコネクタ１１６）が隣り合って実装される隣装領域と、同一の幅を有するコネクタ１１６が隣り合って実装されていない非隣装領域と、を有し、端子カバー囲繞壁３１３は、隣装領域の複数のコネクタ１１６それぞれに嵌装される端子カバー部材１６０の端子カバー本体部１６１を一連に囲繞する一連端子カバー囲繞壁３１３ａと、非隣装領域のコネクタ１１６に嵌装される端子カバー部材１６０の端子カバー本体部１６１を単体で囲繞する単体端子カバー囲繞壁３１３ｂと、を備えている。
【００７１】
なお、本実施形態では、隣接するコネクタ用開口３１２同士の間隔が所定の閾値以下であり、かつ、当該コネクタ用開口３１２同士の前後方向の長さが略同一であれば、端子カバー囲繞壁３１３（一連端子カバー囲繞壁３１３ａ）で当該コネクタ用開口３１２同士を一緒に囲むことによって端子カバー囲繞壁３１３がシンプルなものとなるよう構成したが、これに限ることはなく、例えば、各コネクタ用開口３１２を端子カバー囲繞壁３１３で一つずつ囲むよう構成しても良いし、コネクタ用開口３１２同士の間隔やコネクタ用開口３１２の幅（すなわち、対応するコネクタ１１６の幅）にかかわらず複数のコネクタ用開口３１２を端子カバー囲繞壁３１３で一緒に囲むことによって端子カバー囲繞壁３１３が一層シンプルなものとなるよう構成しても良い。
【００７２】
また、本実施形態では、端子カバー部材１６０が装着されるコネクタ１１６（図４参照）に対応するコネクタ用開口３１２の周囲のみに端子カバー囲繞壁３１３を設けるよう構成したが、これに限ることはなく、例えば、端子カバー部材１６０が装着されるコネクタ１１６に対応するコネクタ用開口３１２のうちの特定のコネクタ用開口３１２の周囲のみに端子カバー囲繞壁３１３を設けるよう構成しても良いし、端子カバー部材１６０が装着されるコネクタ１１６に対応するか否かにかかわらず全てのコネクタ用開口３１２の周囲に端子カバー囲繞壁３１３を設けるよう構成しても良い。
【００７３】
また、上方閉塞部３１１は、例えば図８（ａ），（ｂ）、図１９（ａ），（ｂ）に示すように、閉止状態において第１ケース部材２００の上壁２２０のうちの挿入開口２００ａ側の端部（すなわち、上壁２２０の後端部）と当接する当接部３１１ａを有している。
当接部３１１ａは、閉止状態において、当該当接部３１１ａの上端部が第１ケース部材２００の上壁２２０の外面（上面）よりも上方に突出するよう、上方閉塞部３１１の前端部から上側に向けて突設されている。すなわち、第２ケース部材３００は、当接部３１１ａによって、閉止状態において挿入開口２００ａの縁部（具体的には、上壁２２０の後端部）と接合するよう構成されている。
そして、例えば図８（ａ），（ｂ）、図１９（ａ），（ｂ）に示すように、当接部３１１ａの前面には、閉止状態において、第１ケース部材２００の上壁２２０を下方から支持する下方支持部３１１ｂと、上壁２２０を上方から支持する上方支持部３１１ｃと、が設けられている。
【００７４】
なお、本実施形態では、下方支持部３１１ｂ及び上方支持部３１１ｃを、互いに対向しない位置に設けるよう構成したが、これに限ることはなく、下方支持部３１１ｂによって上壁２２０の下方への変形を抑制できるとともに、上方支持部３１１ｃによって上壁２２０の上方への変形を抑制でき、かつ、下方支持部３１１ｂ及び上方支持部３１１ｃによって第１ケース部材２００と第２ケース部材３００との接合部分（具体的には、上壁２２０と当接部３１１ａとの接合部分）に生じる隙間を閉塞できるのであれば、下方支持部３１１ｂ及び上方支持部３１１ｃを設ける位置は任意であり、例えば、下方支持部３１１ｂを、当接部３１１ａの前面のうちの下端部分全域に亘って設けるとともに、上方支持部３１１ｃを、当接部３１１ａの前面のうちの上端部分全域に亘って設けるよう構成しても良い。
【００７５】
また、例えば図８（ａ），（ｂ）、図１９（ａ）に示すように、上方閉塞部３１１のうちの、第２ケース部材３００に遊技制御基板１１０を取り付けた状態において当該遊技制御基板１１０に設けられた左右のネジ孔１１０ｂのそれぞれに対応する位置には、なべネジ１７０（図１９（ａ）参照）用のネジ受部として、上方閉塞部３１１に開口を有するネジ受部３１１ｄが設けられている。
【００７６】
側方閉塞部３１６は、例えば図８（ａ），（ｂ）に示すように、上面視略コ字形状を呈してなり、上方閉塞部３１１が有する当接部３１１ａとともに、上方閉塞部３１１を取り囲んでいる。
また、側方閉塞部３１６は、例えば図８（ｂ）に示すように、上方閉塞部３１１の下面よりも下方に突出しており、閉止状態において当該側方閉塞部３１６の下端部が第１ケース部材２００の補強リブ２１１の下端部と略面一となるよう設定されている。すなわち、第２ケース部材３００は、側方閉塞部３１６によって、閉止状態において挿入開口２００ａの縁部（具体的には、下壁２１０の後端部、下壁２１０の左端部のうちの後部及び下壁２１０の右端部のうちの後部）と接合するよう構成されている。
【００７７】
さらに、開口閉塞部３１０には、例えば図８（ａ），（ｂ）、図１９（ａ），（ｂ）に示すように、第２ケース部材３００に取り付けられた遊技制御基板１１０に実装されているコネクタ１１６の破損を防止することが可能なコネクタ破損防止壁３１０ａ，３１０ａが設けられている。
【００７８】
なお、本実施形態では、コネクタ破損防止壁３１０ａを、上方閉塞部３１１が有する当接部３１１ａの上端部のうちの左側部分と、側方閉塞部３１６を構成する左側壁部の上端部と、側方閉塞部３１６を構成する後側壁部の上端部のうちの左側部分と、よりなる上面視コ字形状の部分から上側に向けて突設するとともに、上方閉塞部３１１が有する当接部３１１ａの上端部のうちの右側部分と、側方閉塞部３１６を構成する右側壁部の上端部と、側方閉塞部３１６を構成する後側壁部の上端部のうちの右側部分と、よりなる上面視コ字形状の部分から上側に向けて突設するよう構成したが、これに限ることはなく、コネクタ破損防止壁３１０ａを設ける位置は任意である。
また、本実施形態では、コネクタ破損防止壁３１０ａを、外側に向かうにつれて徐々に上方に突出するよう構成するとともに、第２ケース部材３００に遊技制御基板１１０を取り付けた状態において、当該コネクタ破損防止壁３１０ａのうちの最も上方に突出した部分（すなわち、当該コネクタ破損防止壁３１０ａのうちの側方閉塞部３１６を構成する左側壁部や右側壁部から突出している部分）の高さが、当該遊技制御基板１１０に実装されているコネクタ１１６のうちの最も上方に突出しているコネクタ１１６（本実施形態では外部通信端子１１９）の高さと同等になるよう構成したが、これに限ることはなく、コネクタ破損防止壁３１０ａの構成は任意である。
すなわち、遊技制御装置１００を床に落としたり、遊技制御装置１００に物がぶつかったりしても、コネクタ破損防止壁３１０ａによって、コネクタ１１６と床や物との直接衝突を回避できるのであれば、コネクタ破損防止壁３１０ａを設ける位置やコネクタ破損防止壁３１０ａの構成は任意である。
【００７９】
基板支持部（挿入部）３２０は、例えば図８（ａ），（ｂ）、図１９（ａ），（ｂ）に示すように、上面視略コ字形状を呈してなり、第２ケース部材３００に遊技制御基板１１０を取り付けた状態において、開口閉塞部３１０を構成する側方閉塞部３１６のうちの下方に突出した部分（具体的には、側方閉塞部３１６のうちの上方閉塞部３１１の下面よりも下方に突出した部分）とともに、当該遊技制御基板１１０の外周を囲繞するよう構成されている。
【００８０】
そして、基板支持部（挿入部）３２０の内面には、例えば図８（ａ），（ｂ）に示すように、第２ケース部材３００に遊技制御基板１１０を取り付けた状態において、当該遊技制御基板１１０を下方から支持する基板下方支持部３２０ａと、当該遊技制御基板１１０を上方から支持する基板上方支持部３２０ｂと、が設けられている。
これにより、基板支持部（挿入部）３２０は、第２ケース部材３００に取り付けられた遊技制御基板１１０を支持可能となっている。
【００８１】
なお、本実施形態では、基板下方支持部３２０ａ及び基板上方支持部３２０ｂを、互いに対向しない位置に設けるよう構成したが、これに限ることはなく、基板下方支持部３２０ａ及び基板上方支持部３２０ｂによって第２ケース部材３００に取り付けられた遊技制御基板１１０を支持できるのであれば、基板下方支持部３２０ａ及び基板上方支持部３２０ｂを設ける位置は任意であり、例えば、基板下方支持部３２０ａを、本実施形態のように基板支持部（挿入部）３２０の内面（具体的には、基板支持部（挿入部）３２０を構成する前側部３２３の内面（後面））のうちの下端部分左側の所定位置と下端部分右側の所定位置とのそれぞれに設けるとともに、基板上方支持部３２０ｂを、基板支持部（挿入部）３２０の内面（具体的には、基板支持部（挿入部）３２０を構成する左側部３２１の内面（右面）、基板支持部（挿入部）３２０を構成する前側部３２３の内面（後面）及び基板支持部（挿入部）３２０を構成する右側部３２２の内面（左面））のうちの上端部分全域に亘って設けるよう構成しても良い。
【００８２】
囲繞カバー部３３０は、例えば図８（ａ），（ｂ）、図１０（ａ），（ｂ），（ｃ）、図２４（ａ），（ｂ）に示すように、開口閉塞部３１０と、基板支持部（挿入部）３２０を構成する前側部３２３と、の間に懸架されており、第２ケース部材３００に取り付けられた遊技制御基板１１０に実装されている制御デバイス１１２を囲繞するための囲繞カバー本体部３３１と、囲繞カバー本体部３３１を支持するための囲繞カバー本体支持部３３２と、により構成されている。
【００８３】
囲繞カバー部３３０は、閉止状態において、囲繞カバー本体部３３１が収納空間Ｓ＊の内部から露出用切欠部２２１を介して収納空間Ｓ＊の外部に突出した状態で、囲繞カバー本体支持部３３２が露出用切欠部２２１を塞ぐよう構成されている。すなわち、第１ケース部材２００の上壁２２０は、囲繞カバー部３３０の上部よりも遊技制御基板１１０寄りに配置されているので、基板ボックス１２０の薄型化が可能となる。
また、囲繞カバー部３３０は、開口閉塞部３１０と、基板支持部（挿入部）３２０を構成する前側部３２３と、の間に懸架されているので、囲繞カバー部３３０によって、フレーム状の第２ケース部材３００（特に基板支持部（挿入部）３２０）を補強することが可能となる。
【００８４】
また、制御デバイス１１２は、例えば図２４（ａ），（ｂ）に示すように、ＺＩＰタイプのデバイスであり、制御デバイス１１２の脚部（端子部）１１２ａが制御デバイス１１２（制御デバイス１１２本体部）の下面から突出している。したがって、制御デバイス１１２は、制御デバイス１１２本体部が遊技制御基板１１０の表面１１０ａから離間した状態で、遊技制御基板１１０に実装されている。そして、囲繞カバー部３３０は、例えば図２４（ｂ）に示すように、当該囲繞カバー部３３０の下面（具体的には、囲繞カバー本体部３３１の下面及び囲繞カバー本体支持部３３２の下面）が、制御デバイス１１２本体部の下面よりも遊技制御基板１１０に近接するよう形成されている。
【００８５】
囲繞カバー本体部３３１は、その外形が略直方体形状を呈してなるとともに、その下部に制御デバイス１１２を挿入可能なデバイス挿入口３３１ａを有する凹室状の空間が内部に形成されており、当該凹室状の空間内に制御デバイス１１２を収納することが可能となるよう構成されている。すなわち、囲繞カバー本体部３３１は、制御デバイス１１２を下方から挿入することが可能となるよう構成されている。
なお、囲繞カバー本体部３３１には、当該囲繞カバー本体部３３１の内部の熱を外部に放出するための放熱フィン（例えば、金属片等）が、例えば当該囲繞カバー本体部３３１の内面から外面に亘って設けられていても良い。この場合には、制御デバイス１１２の識別情報等が印字された面と対向する囲繞カバー本体部３３１の側壁以外の側壁に設けられていることが望ましく、このようにすることで制御デバイス１１２の識別情報の視認性を確保できる。
【００８６】
囲繞カバー本体支持部３３２は、囲繞カバー本体部３３１の外面のうちの下端部分から外側に向けて突設されており、例えば図１０（ａ）に示すように、第２ケース部材３００に遊技制御基板１１０を取り付けた状態において、当該遊技制御基板１１０の表面１１０ａのうちの、制御デバイス１１２が実装されている領域の周囲に設けられた非実装領域に対応する位置に、開口閉塞部３１０の当接部３１１ａから基板支持部（挿入部）３２０を構成する前側部３２３までに亘って形成されている。そして、囲繞カバー本体支持部３３２は、閉止状態において第１ケース部材２００の上壁２２０に下方から重合して露出用切欠部２２１を塞ぐよう構成されている。
【００８７】
ここで、前述したように、非実装領域のうちの、制御デバイス１１２の印字面１１２ａ側（本実施形態では右側）の幅Ｌ１２は、制御デバイス１１２の印字面１１２ａ側とは反対側（本実施形態では左側）の幅Ｌ１１よりも大きくなるよう設定されている。そして、それに対応して、本実施形態では、例えば図１０（ｂ）、図２４（ｂ）に示すように、囲繞カバー本体支持部３３２の右部（具体的には、囲繞カバー本体支持部３３２のうちの囲繞カバー本体部３３１よりも右側の部分）の幅Ｌ２２は、囲繞カバー本体支持部３３２の左部（具体的には、囲繞カバー本体支持部３３２のうちの囲繞カバー本体部３３１よりも左側の部分）の幅Ｌ２１よりも大きくなるよう設定されている。すなわち、デバイス挿入口３３１ａは、囲繞カバー本体支持部３３２のうちの左右方向中央よりも左側の位置に配置されている。
【００８８】
なお、本実施形態では、例えば図８（ｂ）に示すように、デバイス挿入口３３１ａの後端が囲繞カバー本体支持部３３２の後端と略一致するとともに、デバイス挿入口３３１ａの前端が囲繞カバー本体支持部３３２の前端よりも後側に位置するよう構成し、かつ、例えば図８（ａ）に示すように、囲繞カバー本体部３３１を構成する後側壁部の外面（後面）と開口閉塞部３１０の当接部３１１ａの後面とが略面一となるとともに、囲繞カバー本体部３３１を構成する前側壁部の外面（前面）が基板支持部（挿入部）３２０を構成する前側部３２３よりも後側に位置するよう構成したが、これに限ることはなく、囲繞カバー本体部３３１によって制御デバイス１１２を囲繞することができるのであれば、囲繞カバー本体支持部３３２に対する囲繞カバー本体部３３１の前後方向の位置は任意である。
【００８９】
ここで、本実施形態では、囲繞カバー本体部３３１を構成する後側壁部の外面（後面）と開口閉塞部３１０の当接部３１１ａの後面とが略面一であるのに対し、囲繞カバー本体部３３１を構成する前側壁部の外面（前面）が基板支持部（挿入部）３２０を構成する前側部３２３よりも後側に位置している。したがって、閉止状態において、露出用切欠部２２１のうちの挿入開口２００ａ側の端部は、囲繞カバー本体部３３１や当接部３１１ａで閉塞されるが、露出用切欠部２２１のうちの挿入開口２００ａ側とは反対側の端部は、閉塞されない。そのため、このままでは、遊技制御基板１１０への不正アクセス等のために、露出用切欠部２２１のうちの挿入開口２００ａ側とは反対側の端部から針金やピアノ線などが挿入されるといった不都合が発生し易いが、本実施形態では、前述したように、侵入防止壁２２３を設けて露出用切欠部２２１のうちの挿入開口２００ａ側とは反対側の端部を含む部分を閉塞しているので、当該不都合を回避することができる。
【００９０】
また、囲繞カバー本体支持部３３２は、例えば図８（ａ）、図２１に示すように、閉止状態への変換時に第１ケース部材２００のスライドガイド溝部２２２に沿って移動可能に係合（スライド係合）することが可能なスライドガイド壁３３２ａを有している。
具体的には、スライドガイド壁３３２ａは、囲繞カバー本体支持部３３２の上面のうちの左端部分全域及び右端部分全域のそれぞれから上側に向けて突設されている。すなわち、スライドガイド壁３３２ａは、収納空間Ｓ＊の奥行き方向（前後方向）に延設されている。
これにより、遊技制御基板１１０への不正アクセス等を回避することが可能となる。すなわち、露出用切欠部２２１の左側の縁部や右側の縁部から針金やピアノ線などが挿入されても、スライドガイド壁３３２ａが、当該縁部から挿入された針金やピアノ線などの基板ボックス１２０の内部（閉止空間Ｓ内）への侵入を防止する返し構造になっているので、遊技制御基板１１０への不正アクセス等を回避することが可能となる。
【００９１】
なお、本実施形態では、スライドガイド壁３３２ａを、囲繞カバー本体支持部３３２の上面のうちの左端部分全域及び右端部分全域のそれぞれから上側に向けて突設するよう構成したが、これに限ることはなく、スライドガイド壁３３２ａがスライドガイド溝部２２２にスライド可能に係合することによって、第１ケース部材２００に対する第２ケース部材３００のスライド挿入を的確に行うことができるのであれば、スライドガイド壁３３２ａを設ける位置やスライドガイド壁３３２ａの構成は任意である。
【００９２】
ここで、第２ケース部材３００は、例えば図２０（ｂ）に示すように、当該第２ケース部材３００に遊技制御基板１１０を取り付けた状態において、当該遊技制御基板１１０との間に第１の間隙Ｇ１１，Ｇ１２を有した状態で当該遊技制御基板１１０の外周を囲繞している。
【００９３】
具体的には、例えば図８（ｂ）に示すように、開口閉塞部３１０の側方閉塞部３１６を構成する左側壁部の内面（右面）と、基板支持部（挿入部）３２０を構成する左側部３２１の内面（右面）と、は略面一となっており、第２ケース部材３００は、例えば図２０（ｂ）に示すように、当該第２ケース部材３００に遊技制御基板１１０を取り付けた状態において、これら内面と、当該遊技制御基板１１０の左端部と、の間に第１の間隙Ｇ１１（左側用）が形成されるよう構成されている。
また、例えば図８（ｂ）に示すように、開口閉塞部３１０の側方閉塞部３１６を構成する右側壁部の内面（左面）と、基板支持部（挿入部）３２０を構成する右側部３２２の内面（左面）と、は略面一となっており、第２ケース部材３００は、例えば図２０（ｂ）に示すように、当該第２ケース部材３００に遊技制御基板１１０を取り付けた状態において、これら内面と、当該遊技制御基板１１０の右端部と、の間に第１の間隙Ｇ１２（右側用）が形成されるよう構成されている。
【００９４】
一方、第２ケース部材３００の囲繞カバー部３３０は、例えば図２０（ｂ）に示すように、当該第２ケース部材３００に遊技制御基板１１０を取り付けた状態において、当該遊技制御基板１１０に実装されている制御デバイス１１２との間に第１の間隙Ｇ１１，Ｇ１２よりも大きな第２の間隙Ｇ２１，Ｇ２２を有した状態で当該制御デバイス１１２の周囲を囲繞している。
【００９５】
具体的には、第２ケース部材３００の囲繞カバー部３３０は、当該第２ケース部材３００に遊技制御基板１１０を取り付けた状態において、当該囲繞カバー部３３０の囲繞カバー本体部３３１を構成する左側壁部の内面（右面）と、当該遊技制御基板１１０に実装されている制御デバイス１１２の左面と、の間に左側用の第１の間隙Ｇ１１よりも大きな第２の間隙Ｇ２１（左側用）が形成されるよう構成されている。
また、第２ケース部材３００の囲繞カバー部３３０は、当該第２ケース部材３００に遊技制御基板１１０を取り付けた状態において、当該囲繞カバー部３３０の囲繞カバー本体部３３１を構成する右側壁部の内面（左面）と、当該遊技制御基板１１０に実装されている制御デバイス１１２の右面（本実施形態では印字面１１２ａ）と、の間に右側用の第１の間隙Ｇ１２よりも大きな第２の間隙Ｇ２２（右側用）が形成されるよう構成されている。
【００９６】
このように、第２ケース部材３００に遊技制御基板１１０を取り付けた状態において、第１の間隙Ｇ１１，Ｇ１２や第２の間隙Ｇ２１，Ｇ２２が形成されるので、第２ケース部材３００に遊技制御基板１１０を取り付ける際の作業性が向上する。
また、第１の間隙Ｇ１１，Ｇ１２よりも第２の間隙Ｇ２１，Ｇ２２の方が大きいので、第２ケース部材３００に対する遊技制御基板１１０の取り付け時や取り付け後には、制御デバイス１１２が囲繞カバー部３３０の囲繞カバー本体部３３１に衝接する前に、遊技制御基板１１０の端部が基板支持部（挿入部）３２０に衝接することとなる。すなわち、第２ケース部材３００に対する遊技制御基板１１０の取り付け時や取り付け後における制御デバイス１１２の囲繞カバー本体部３３１への衝接を防止できるため、制御デバイス１１２の破損や故障などの不都合を回避することが可能となる。
【００９７】
なお、左側用の第２の間隙Ｇ２１が左側用の第１の間隙Ｇ１１よりも大きく、右側用の第２の間隙Ｇ２２が右側用の第１の間隙Ｇ１２よりも大きいのであれば、第１の間隙Ｇ１１，Ｇ１２や第２の間隙Ｇ２１，Ｇ２２の大きさは任意であり、左側用の第１の間隙Ｇ１１と右側用の第１の間隙Ｇ１２とは同一であっても異なっていても良いし、左側用の第２の間隙Ｇ２１と右側用の第２の間隙Ｇ２２とは同一であっても異なっていても良い。
【００９８】
また、前述したように、囲繞カバー部３３０の囲繞カバー本体支持部３３２のうちの右部の幅Ｌ２２は、左部の幅Ｌ２１よりも大きくなるよう設定されている。そのため、囲繞カバー部３３０の囲繞カバー本体部３３１は、例えば図２４（ｂ）に示すように、当該囲繞カバー本体部３３１を構成する右側壁部が、当該囲繞カバー本体部３３１を構成する左側壁部よりも第１ケース部材２００から離間しており、第１ケース部材２００の上壁２２０と、当該囲繞カバー本体部３３１を構成する右側壁部と、の間には遊技制御装置１００側に向けて窪んだ視認段部Ｄが形成されている。これにより、遊技制御装置１００の外部から制御デバイス１１２の印字面１１２ａ全体を視認することが可能となっている。
すなわち、囲繞カバー本体部３３１を構成する右側壁部が、当該囲繞カバー本体部３３１を構成する左側壁部と同程度に第１ケース部材２００と近接している場合には、上壁２２０が邪魔になって、制御デバイス１１２の印字面１１２ａ全体（特に印字面１１２ａの下部）が視認し難い。これに対し、本実施形態では、囲繞カバー本体部３３１を構成する右側壁部が、当該囲繞カバー本体部３３１を構成する左側壁部よりも第１ケース部材２００から離間しており、視認段部Ｄが形成されているので、上壁２２０が邪魔になることなく、遊技制御装置１００の外部から制御デバイス１１２の印字面１１２ａ全体を視認することが可能となっている。
【００９９】
また、本実施形態では、前述したように、第１ケース部材２００の上壁２２０のうちの、制御デバイス１１２の印字面１１２ａに対向する部分（すなわち、印字面１１２ａに対向する視認段部Ｄに落ち込む角部）に、面取り部２２２ａが形成されている。これにより、制御デバイス１１２の印字面１１２ａ全体が視認し易くなっている。
すなわち、上壁２２０のうちの、制御デバイス１１２の印字面１１２ａに対向する部分に、面取り部２２２ａが形成されていない場合には、囲繞カバー本体部３３１を構成する右側壁部が第１ケース部材２００から離間して視認段部Ｄが形成されていても、上壁２２０のうちの視認段部Ｄに落ち込む角部が邪魔になって、制御デバイス１１２の印字面１１２ａ全体（特に印字面１１２ａの下部）が視認し難い。これに対し、本実施形態では、上壁２２０のうちの制御デバイス１１２の印字面１１２ａに対向する部分に面取り部２２２ａが形成されているので、視認段部Ｄに落ち込む角部が邪魔になることなく、遊技制御装置１００の外部から制御デバイス１１２の印字面１１２ａ全体を視認することが可能となっている。
【０１００】
さらに、本実施形態では、前述したように、囲繞カバー部３３０の下面（具体的には、囲繞カバー本体部３３１の下面及び囲繞カバー本体支持部３３２の下面）が、制御デバイス１１２本体部の下面よりも遊技制御基板１１０に近接している。これにより、制御デバイス１１２の印字面１１２ａ全体が視認し易くなるとともに、制御デバイス１１２の脚部１１２ｂ近傍に不正な部品等が取り付け難くなっている。
すなわち、囲繞カバー部３３０の下面が制御デバイス１１２本体部の下面よりも遊技制御基板１１０に近接していない場合には、囲繞カバー本体部３３１を構成する右側壁部が第１ケース部材２００から離間して視認段部Ｄが形成されていても、囲繞カバー本体支持部３３２が邪魔になって、制御デバイス１１２の印字面１１２ａ全体（特に印字面１１２ａの下部）が視認し難い。これに対し、本実施形態では、囲繞カバー部３３０の下面が制御デバイス１１２本体部の下面よりも遊技制御基板１１０に近接しているので、囲繞カバー本体支持部３３２が邪魔になることなく、遊技制御装置１００の外部から制御デバイス１１２の印字面１１２ａ全体を視認することが可能となっている。
【０１０１】
次に、基板ボックス１２０が備える固着封止手段について説明する。
遊技制御装置１００は、例えば図３、図４に示すように、固着封止手段として、第１ケース部材２００及び第２ケース部材３００の左側端に設けられた左側端封止手段４００と、第１ケース部材２００及び第２ケース部材３００の右側端に設けられた右側端封止手段５００と、を備えている。
【０１０２】
固着封止手段のうちの左側端封止手段４００は、例えば図４に示すように、第１ケース部材２００に設けられて、収納空間Ｓ＊内に配置された（閉止空間Ｓに収納された）遊技制御基板１１０の左側方に位置する左第１固着部４１０と、左第１固着部４１０に対応させて第２ケース部材３００に設けられて、収納空間Ｓ＊内に配置された（閉止空間Ｓに収納された）遊技制御基板１１０の左側方に位置する左第２固着部４２０と、左第１固着部４１０と左第２固着部４２０とに挿通されて、当該左第１固着部４１０と当該左第２固着部４２０とを固着するための左固着部材４３０，４３０と、を備えて構成される。
ここで、左固着部材４３０は、一方向（螺合方向）にしか廻せないワンウェイねじであり、一旦螺合すると取り外すことができないよう構成されている。すなわち、左固着部材４３０は、左第１固着部４１０と左第２固着部４２０とをかしめるよう構成されている。
【０１０３】
左第１固着部４１０は、例えば図５（ａ），（ｂ）、図６（ｂ）、図７（ａ）に示すように、第１ケース部材２００の左側壁２３０の外面（左面）から外側（左側）に向けて突設されている。
具体的には、左第１固着部４１０は、第１ケース部材２００に直接設けられた左第１内側固着部４１１と、左第１内側固着部４１１に設けられて、当該左第１内側固着部４１１よりも外側（左側）に位置する左第１外側固着部４１２と、左第１内側固着部４１１と左第１外側固着部４１２とを分離可能に連結する左第１脆弱部４１３と、を備えている。すなわち、左第１内側固着部４１１及び左第１外側固着部４１２は、左第１脆弱部４１３を介して、閉止空間Ｓに収納された遊技制御基板１１０の厚み方向（上下方向）に直交する方向（左右方向）に並んで配設されている。
【０１０４】
左第２固着部４２０は、例えば図８（ａ），（ｂ）、図９（ｂ）に示すように、閉止状態において左第１固着部４１０と重合するよう、第２ケース部材３００の側方閉塞部３１６を構成する左側壁部の外面（左面）から外側（左側）に向けて突設されている。
具体的には、左第２固着部４２０は、第２ケース部材３００に直接設けられた左第２内側固着部４２１と、左第２内側固着部４２１に設けられて、当該左第２内側固着部４２１よりも外側（左側）に位置する左第２外側固着部４２２と、左第２内側固着部４２１と左第２外側固着部４２２とを分離可能に連結する左第２脆弱部４２３と、を備えている。すなわち、左第２内側固着部４２１及び左第２外側固着部４２２は、左第２脆弱部４２３を介して、閉止空間Ｓに収納された遊技制御基板１１０の厚み方向（上下方向）に直交する方向（左右方向）に並んで配設されている。
【０１０５】
本実施形態では、左第２固着部４２０の前後方向の長さは、第２ケース部材３００の開口閉塞部３１０の前後方向の長さの約半分となるよう設定されている。また、左第１固着部４１０の前後方向の長さは、左第２固着部４２０の前後方向の長さと略同一となるよう設定されている。
そして、例えば図５（ａ）に示すように、左第１固着部４１０の後端部（後端面）は、第１ケース部材２００の左側壁２３０の後端部と面一となるよう設定されている。また、例えば図８（ｂ）に示すように、左第２固着部４２０の前端部（前端面）は、第２ケース部材３００の当接部３１１ａの前面と面一となるよう設定されている。すなわち、閉止状態において、左第１固着部４１０の後端面と、左第２固着部４２０の前端面と、は当接（重合）するよう構成されている。
【０１０６】
また、本実施形態では、例えば図２２（ａ）に示すように、左第１固着部４１０の外面及び左第２固着部４２０の外面は、閉止状態において互いに面一となるよう設定されている。
したがって、前述したように、第２ケース部材３００の左右方向の長さは収納空間Ｓ＊の左右方向の長さと略同一となるよう設定されているので、第２ケース部材３００の左右方向の長さは第１ケース部材２００（具体的には、第１ケース部材２００の前後方向中央部及び前部）の左右方向の長さよりも短いが、その分だけ、左第２固着部４２０の左右方向の長さが、左第１固着部４１０の左右方向の長さよりも長くなっている。すなわち、第２ケース部材３００は、当該第２ケース部材３００に設けられた左第２固着部４２０によって、閉止状態において挿入開口２００ａの縁部（具体的には、第１ケース部材２００の左側壁２３０の後端部）と接合するよう構成されている。
【０１０７】
左第１内側固着部４１１には、例えば図６（ｂ）に示すように、左固着部材４３０を螺合するねじ止め部（固着受部）が前後方向に沿って形成されている。具体的には、左第１内側固着部４１１は、開放端部が第１ケース部材２００に接続された略コ字形状を呈してなり、前端部は開口しているが、後端部（他方（左第２内側固着部４２１）と重合する側）は閉口している。すなわち、左第１内側固着部４１１は、他方と重合する側に底部を有するとともに当該他方と重合する側とは反対側が開口した有底筒状を呈してなる。そして、左第１内側固着部４１１の内部には、当該左第１内側固着部４１１の後端部に左固着部材４３０の頭部は通過不能で左固着部材４３０の軸部は通過可能な開口を有する左固着部材４３０用のねじ止め部（固着受部）が形成されている。
左第２内側固着部４２１には、例えば図９（ｂ）に示すように、左固着部材４３０を挿通可能な貫通孔が前後方向に沿って形成されている。具体的には、左第２内側固着部４２１は、開放端部が第２ケース部材３００に接続された略コ字形状を呈してなり、後端部は開口しているが、前端部（他方（左第１内側固着部４１１）と重合する側）は閉口している。すなわち、左第２内側固着部４２１は、他方と重合する側に底部を有するとともに当該他方と重合する側とは反対側が開口した有底筒状を呈してなる。そして、左第２内側固着部４２１の内部には、左第２内側固着部４２１の内面と第２ケース部材３００の外面とによって左固着部材４３０が挿通可能な空間が形成されており、左第２内側固着部４２１の前端部には、左固着部材４３０の頭部は通過不能で左固着部材４３０の軸部は通過可能なねじ孔（孔部）が形成されている。
【０１０８】
左第１外側固着部４１２には、例えば図６（ｂ）に示すように、左固着部材４３０を挿通可能な貫通孔が前後方向に沿って形成されている。具体的には、左第１外側固着部４１２は、平面部が左第１内側固着部４１１に対向する略Ｄ字形状を呈してなり、前端部は開口しているが、後端部（他方（左第２外側固着部４２２）と重合する側）は閉口している。すなわち、左第１外側固着部４１２は、他方と重合する側に底部を有するとともに当該他方と重合する側とは反対側が開口した有底筒状を呈してなる。そして、左第１外側固着部４１２の内部には、左固着部材４３０が挿通可能な空間が形成されており、左第１外側固着部４１２の後端部には、左固着部材４３０の頭部は通過不能で左固着部材４３０の軸部は通過可能なねじ孔（孔部）が形成されている。
左第２外側固着部４２２には、例えば図９（ｂ）に示すように、左固着部材４３０を螺合するねじ止め部（固着受部）が前後方向に沿って形成されている。具体的には、左第２外側固着部４２２は、平面部が左第２内側固着部４２１に対向する略Ｄ字形状を呈してなり、後端部は開口しているが、前端部（他方（左第１外側固着部４１２）と重合する側）は閉口している。すなわち、左第２外側固着部４２２は、他方と重合する側に底部を有するとともに当該他方と重合する側とは反対側が開口した有底筒状を呈してなる。そして、左第２外側固着部４２２の内部には、当該左第２外側固着部４２２の前端部に左固着部材４３０の頭部は通過不能で左固着部材４３０の軸部は通過可能な開口を有する左固着部材４３０用のねじ止め部（固着受部）が形成されている。
【０１０９】
そして、例えば図２６に示すように、閉止状態において、左第１外側固着部４１２と左第２外側固着部４２２とは、当該左第１外側固着部４１２が有するねじ孔（孔部）と、当該左第２外側固着部４２２が有するねじ止め部（固着受部）の開口と、が対向する状態で重合し、左第１外側固着部４１２の開口した前端部から当該左第１外側固着部４１２の内部（貫通孔）に挿通した左固着部材４３０の先端部分を、左第２外側固着部４２２が有するねじ止め部（固着受部）に螺合することによって、第１ケース部材２００と第２ケース部材３００とを離反不能に結合するよう構成されている。
【０１１０】
また、閉止状態において、左第１内側固着部４１１と左第２内側固着部４２１とは、当該左第１内側固着部４１１が有するねじ止め部（固着受部）の開口と、当該左第２内側固着部４２１が有するねじ孔（孔部）と、が対向する状態で重合し、左第２内側固着部４２１の開口した後端部から当該左第２内側固着部４２１の内部（貫通孔）に挿通した左固着部材４３０の先端部分を、左第１内側固着部４１１が有するねじ止め部（固着受部）に螺合することによって、第１ケース部材２００と第２ケース部材３００とを離反不能に結合するよう構成されている。
ここで、本実施形態において、左第１内側固着部４１１及び左第２内側固着部４２１は、副固着部（後述）であるので、例えば図２６に示すように、主固着部（後述）である左第１外側固着部４１２及び左第２外側固着部４２２によって第１ケース部材２００と第２ケース部材３００とが結合されている際は、左第２内側固着部４２１の内部（貫通孔）を挿通した左固着部材４３０の先端部分は、左第１内側固着部４１１が有するねじ止め部（固着受部）には螺合（本締め）されず、当該ねじ止め部（固着受部）の開口や左第２内側固着部４２１が有するねじ孔（孔部）などに仮締めされた状態となっている。
【０１１１】
すなわち、左第１固着部４１０及び左第２固着部４２０は、収納空間Ｓ＊内に配置された（閉止空間Ｓに収納された）遊技制御基板１１０の厚み方向（上下方向）に直交する方向（前後方向）に重合するよう構成されている。
そして、左固着部材４３０は、左第１固着部４１０と左第２固着部４２０との重合方向、すなわち左第１固着部４１０と左第２固着部４２０との重合面に直交する方向（前後方向）に沿って挿通されて、当該左第１固着部４１０と当該左第２固着部４２０とを重合した状態で固着するよう構成されている。
【０１１２】
固着封止手段のうちの右側端封止手段５００は、例えば図４に示すように、第１ケース部材２００に設けられて、収納空間Ｓ＊内に配置された（閉止空間Ｓに収納された）遊技制御基板１１０の右側方に位置する右第１固着部５１０と、右第１固着部５１０に対応させて第２ケース部材３００に設けられて、収納空間Ｓ＊内に配置された（閉止空間Ｓに収納された）遊技制御基板１１０の右側方に位置する右第２固着部５２０と、右第１固着部５１０と右第２固着部５２０とに挿通されて、当該右第１固着部５１０と当該右第２固着部５２０とを固着するための右固着部材５３０，５３０と、を備えて構成される。
ここで、右固着部材５３０は、左固着部材４３０と同様、一方向（螺合方向）にしか廻せないワンウェイねじであり、一旦螺合すると取り外すことができないよう構成されている。すなわち、右固着部材５３０は、右第１固着部５１０と右第２固着部５２０とをかしめるよう構成されている。
【０１１３】
右第１固着部５１０は、例えば図５（ａ），（ｂ）、図６（ａ）に示すように、第１ケース部材２００の右側壁２４０の外面（右面）から外側（右側）に向けて突設されている。
具体的には、右第１固着部５１０は、第１ケース部材２００に直接設けられた右第１内側固着部５１１と、右第１内側固着部５１１に設けられて、当該右第１内側固着部５１１よりも外側（右側）に位置する右第１外側固着部５１２と、右第１内側固着部５１１と右第１外側固着部５１２とを分離可能に連結する右第１脆弱部５１３と、を備えている。すなわち、右第１内側固着部５１１及び右第１外側固着部５１２は、右第１脆弱部５１３を介して、閉止空間Ｓに収納された遊技制御基板１１０の厚み方向（上下方向）に直交する方向（左右方向）に並んで配設されている。
【０１１４】
右第２固着部５２０は、例えば図８（ａ），（ｂ）、図９（ａ）に示すように、閉止状態において右第１固着部５１０と重合するよう、第２ケース部材３００の側方閉塞部３１６を構成する右側壁部の外面（右面）から外側（右側）に向けて突設されている。
具体的には、右第２固着部５２０は、第２ケース部材３００に直接設けられた右第２内側固着部５２１と、右第２内側固着部５２１に設けられて、当該右第２内側固着部５２１よりも外側（右側）に位置する右第２外側固着部５２２と、右第２内側固着部５２１と右第２外側固着部５２２とを分離可能に連結する右第２脆弱部５２３と、を備えている。すなわち、右第２内側固着部５２１及び右第２外側固着部５２２は、右第２脆弱部５２３を介して、閉止空間Ｓに収納された遊技制御基板１１０の厚み方向（上下方向）に直交する方向（左右方向）に並んで配設されている。
【０１１５】
本実施形態では、右側端封止手段５００の前後方向の長さは、当該右側端封止手段５００の外面に電子タグシール１３０を貼着できるよう、左側端封止手段４００の前後方向の長さよりも長くなるよう設定されている。
具体的には、右第２内側固着部５２１の前後方向の長さは、第２ケース部材３００の開口閉塞部３１０の前後方向の長さの約半分となるよう設定されており、右第２外側固着部５２２は、当該右第２外側固着部５２２の前後方向の長さが、右第２内側固着部５２１の前後方向の長さよりも長くなるよう設定されているとともに、当該右第２外側固着部５２２のうちの後端部分が右第２脆弱部５２３を介して右第２内側固着部５２１に連結されている。また、右第１内側固着部５１１の前後方向の長さは、右第２外側固着部５２２の前後方向の長さと同一となるよう設定されており、右第１外側固着部５１２は、当該右第１外側固着部５１２の前後方向の長さが、右第２内側固着部５２１の前後方向の長さと同一となるよう設定されているとともに、右第１脆弱部５１３を介して右第１内側固着部５１１のうちの前端部分に連結されている。
そして、例えば図５（ａ）に示すように、右第１内側固着部５１１の後端部（後端面）は、第１ケース部材２００の右側壁２４０の後端部と面一となるよう設定されている。また、例えば図８（ａ）に示すように、右第２内側固着部５２１の前端部（前端面）は、第２ケース部材３００の当接部３１１ａの前面と面一となるよう設定されている。
【０１１６】
ここで、閉止状態において、右第１固着部５１０の後端面と、右第２固着部５２０の前端面と、は当接（重合）するよう構成されているが、外側固着部の重合境界（具体的には、右第１外側固着部５１２と右第２外側固着部５２２との重合境界）の前後方向の位置と、内側固着部の重合境界（具体的には、右第１内側固着部５１１と右第２内側固着部５２１との重合境界）の前後方向の位置と、が一致しない状態で、右第１固着部５１０の後端面と、右第２固着部５２０の前端面と、は当接（重合）している。
【０１１７】
すなわち、例えば図２２（ａ）、図２６に示すように、左側端封止手段４００においては、主側重合境界、すなわち外側固着部の重合境界（具体的には、左第１外側固着部４１２と左第２外側固着部４２２との重合境界）の位置と、副側重合境界、すなわち内側固着部の重合境界（具体的には、左第１内側固着部４１１と左第２内側固着部４２１との重合境界）の位置と、は一直線上に並ぶよう重合方向（前後方向）に一致している。それに対し、右側端封止手段５００においては、主側重合境界、すなわち外側固着部の重合境界（具体的には、右第１外側固着部５１２と右第２外側固着部５２２との重合境界）の位置と、副側重合境界、すなわち内側固着部の重合境界（具体的には、右第１内側固着部５１１と右第２内側固着部５２１との重合境界）の位置と、は一直線上に並ばないよう重合方向（前後方向）にずらされており、外側固着部の重合境界は、内側固着部の重合境界よりも前側に位置している。
【０１１８】
これにより、第１ケース部材２００と第２ケース部材３００との結合を解除（すなわち、基板ボックス１２０を開封）するために第１固着部（右第１外側固着部５１２、右第１内側固着部５１１）と第２固着部（右第２外側固着部５２２、右第２内側固着部５２１）との重合を解除すると、当該重合境界で電子タグシール１３０が破断することになるが、主側重合境界と副側重合境界とが一直線上に並ばないよう重合方向にずらされているので、電子タグシール１３０の破断面が汚くなる。そのため、第１固着部と第２固着部との重合解除による基板ボックス１２０の不正開封を抑制できるとともに、第１固着部と第２固着部との重合解除による基板ボックス１２０の不正開封を発見し易くすることができる。
【０１１９】
また、レーザ等を用いて重合境界に沿って電子タグシール１３０を破断した後に、第１固着部と第２固着部との重合を解除すれば、電子タグシール１３０の破断面が汚くなることなく、当該重合を解除できる。しかしながら、本実施形態では、例えば図２３（ａ）に示すように、副側重合境界が貼着領域Ｒからはみ出しているので、それを手掛かりとして、レーザ等を用いて電子タグシール１３０を破断しても、主側重合境界と副側重合境界とが一直線上に並ばないよう重合方向にずらされているので、電子タグシール１３０の破断面が汚くなる。すなわち、レーザ等を用いて副側重合境界上及びその延長線上に沿って電子タグシール１３０を破断しても、主側重合境界上に沿って電子タグシール１３０は破断されないので、第１固着部と第２固着部との重合を解除すると、やはり電子タグシール１３０の破断面が汚くなってしまう。そのため、第１固着部と第２固着部との重合解除による基板ボックス１２０の不正開封を抑制できるとともに、第１固着部と第２固着部との重合解除による基板ボックス１２０の不正開封を発見し易くすることができる。
【０１２０】
また、本実施形態では、例えば図２２（ａ），（ｂ）に示すように、右第１固着部５１０の外面及び右第２固着部５２０の外面は、閉止状態において互いに面一となるよう設定されている。
したがって、前述したように、第２ケース部材３００の左右方向の長さは収納空間Ｓ＊の左右方向の長さと略同一となるよう設定されているので、第２ケース部材３００の左右方向の長さは第１ケース部材２００（具体的には、第１ケース部材２００の前後方向中央部及び前部）の左右方向の長さよりも短いが、その分だけ、右第２固着部５２０の左右方向の長さが、右第１固着部５１０の左右方向の長さよりも長くなっている。すなわち、第２ケース部材３００は、当該第２ケース部材３００に設けられた右第２固着部５２０によって、閉止状態において挿入開口２００ａの縁部（具体的には、第１ケース部材２００の右側壁２４０の後端部）と接合するよう構成されている。
【０１２１】
右第１内側固着部５１１には、例えば図６（ａ）に示すように、右固着部材５３０を螺合するねじ止め部（固着受部）が前後方向に沿って形成されている。具体的には、右第１内側固着部５１１は、開放端部が第１ケース部材２００に接続された略コ字形状を呈してなり、前端部は開口しているが、後端部（他方（右第２内側固着部５２１）と重合する側）は閉口している。すなわち、右第１内側固着部５１１は、他方と重合する側に底部を有するとともに当該他方と重合する側とは反対側が開口した有底筒状を呈してなる。そして、右第１内側固着部５１１の内部には、当該右第１内側固着部５１１の後端部に右固着部材５３０の頭部は通過不能で右固着部材５３０の軸部は通過可能な開口を有する右固着部材５３０用のねじ止め部（固着受部）が形成されている。
右第２内側固着部５２１には、例えば図９（ａ）に示すように、右固着部材５３０を挿通可能な貫通孔が前後方向に沿って形成されている。具体的には、右第２内側固着部５２１は、開放端部が第２ケース部材３００に接続された略コ字形状を呈してなり、後端部は開口しているが、前端部（他方（右第１内側固着部５１１）と重合する側）は閉口している。すなわち、右第２内側固着部５２１は、他方と重合する側に底部を有するとともに当該他方と重合する側とは反対側が開口した有底筒状を呈してなる。そして、右第２内側固着部５２１の内部には、右第２内側固着部５２１の内面と第２ケース部材３００の外面とによって右固着部材５３０が挿通可能な空間が形成されており、右第２内側固着部５２１の前端部には、右固着部材５３０の頭部は通過不能で右固着部材５３０の軸部は通過可能なねじ孔（孔部）が形成されている。
【０１２２】
右第１外側固着部５１２には、例えば図６（ａ）に示すように、右固着部材５３０を螺合するねじ止め部（固着受部）が前後方向に沿って形成されている。具体的には、右第１外側固着部５１２は、平面部が右第１内側固着部５１１に対向する略Ｄ字形状を呈してなり、前端部は開口しているが、後端部（他方（右第２外側固着部５２２）と重合する側）は閉口している。すなわち、右第１外側固着部５１２は、他方と重合する側に底部を有するとともに当該他方と重合する側とは反対側が開口した有底筒状を呈してなる。そして、右第１外側固着部５１２の内部には、当該右第１外側固着部５１２の後端部に右固着部材５３０の頭部は通過不能で右固着部材５３０の軸部は通過可能な開口を有する右固着部材５３０用のねじ止め部（固着受部）が形成されている。
右第２外側固着部５２２には、例えば図９（ａ）に示すように、右固着部材５３０を挿通可能な貫通孔が前後方向に沿って形成されている。具体的には、右第２外側固着部５２２は、平面部が右第２内側固着部５２１に対向する略Ｄ字形状を呈してなり、後端部は開口しているが、前端部（他方（右第１外側固着部５１２）と重合する側）は閉口している。すなわち、右第２外側固着部５２２は、他方と重合する側に底部を有するとともに当該他方と重合する側とは反対側が開口した有底筒状を呈してなる。そして、右第２外側固着部５２２の内部には、右固着部材５３０が挿通可能な空間が形成されており、右第２外側固着部５２２の前端部には、右固着部材５３０の頭部は通過不能で右固着部材５３０の軸部は通過可能なねじ孔（孔部）が形成されている。
【０１２３】
すなわち、左側端封止手段４００の外側固着部においては、第１固着部側（すなわち、左第１外側固着部４１２）に固着部材を挿通可能な貫通孔が形成されて、第２固着部側（すなわち、左第２外側固着部４２２）に当該固着部材を螺合するねじ止め部（固着受部）が形成されているのに対し、右側端封止手段５００の外側固着部においては、第２固着部側（すなわち、右第２外側固着部５２２）に固着部材を挿通可能な貫通孔が形成されて、第１固着部側（すなわち、右第１外側固着部５１２）に当該固着部材を螺合するねじ止め部（固着受部）が形成されている。
このように、左側端封止手段４００と右側端封止手段５００とで固着部材（ワンウェイねじ）の挿通の向きを異ならせることによって、固着部材の取り外しが一層困難になるので、基板ボックス１２０の不正開封等を十分に回避することが可能となる。
【０１２４】
そして、例えば図２６に示すように、閉止状態において、右第１外側固着部５１２と右第２外側固着部５２２とは、当該右第１外側固着部５１２が有するねじ止め部（固着受部）の開口と、当該右第２外側固着部５２２が有するねじ孔（孔部）と、が対向する状態で重合し、右第２外側固着部５２２の開口した後端部から当該右第２外側固着部５２２の内部（貫通孔）に挿通した右固着部材５３０の先端部分を、右第１外側固着部５１２が有するねじ止め部（固着受部）に螺合することによって、第１ケース部材２００と第２ケース部材３００とを離反不能に結合するよう構成されている。
【０１２５】
また、閉止状態において、右第１内側固着部５１１と右第２内側固着部５２１とは、当該右第１内側固着部５１１が有するねじ止め部（固着受部）の開口と、当該右第２内側固着部５２１が有するねじ孔（孔部）と、が対向する状態で重合し、右第２内側固着部５２１の開口した後端部から当該右第２内側固着部５２１の内部（貫通孔）に挿通した右固着部材５３０の先端部分を、右第１内側固着部５１１が有するねじ止め部（固着受部）に螺合することによって、第１ケース部材２００と第２ケース部材３００とを離反不能に結合するよう構成されている。
ここで、本実施形態において、右第１内側固着部５１１及び右第２内側固着部５２１は、副固着部（後述）であるので、例えば図２６に示すように、主固着部（後述）である右第１外側固着部５１２及び右第２外側固着部５２２によって第１ケース部材２００と第２ケース部材３００とが結合されている際は、右第２内側固着部５２１の内部（貫通孔）を挿通した右固着部材５３０の先端部分は、右第１内側固着部５１１が有するねじ止め部（固着受部）には螺合（本締め）されず、当該ねじ止め部（固着受部）の開口や右第２内側固着部５２１が有するねじ孔（孔部）などに仮締めされた状態となっている。
【０１２６】
すなわち、右第１固着部５１０及び右第２固着部５２０は、収納空間Ｓ＊内に配置された（閉止空間Ｓに収納された）遊技制御基板１１０の厚み方向（上下方向）に直交する方向（前後方向）に重合するよう構成されている。
そして、右固着部材５３０は、右第１固着部５１０と右第２固着部５２０との重合方向、すなわち右第１固着部５１０と右第２固着部５２０との重合面に直交する方向（前後方向）に沿って挿通されて、当該右第１固着部５１０と当該右第２固着部５２０とを重合した状態で固着するよう構成されている。
【０１２７】
ここで、本実施形態では、外側固着部（左第１外側固着部４１２及び左第２外側固着部４２２、右第１外側固着部５１２及び右第２外側固着部５２２）が、第１ケース部材２００と第２ケース部材３００とを最初に結合するための主固着部となっており、内側固着部（左第１内側固着部４１１及び左第２内側固着部４２１、右第１内側固着部５１１及び右第２内側固着部５２１）が、主固着部による結合の解除後に第１ケース部材２００と第２ケース部材３００とを再結合するための副固着部となっている。
すなわち、本実施形態では、まず、外側固着部（主固着部）によって第１ケース部材２００と第２ケース部材３００とを離反不能に結合する。
そして、当該結合を解除する場合は、内側固着部（副固着部）から外側固着部（主固着部）を切り離すように脆弱部（左第１脆弱部４１３及び左第２脆弱部４２３、右第１脆弱部５１３及び右第２脆弱部５２３）を切断する。すなわち、固着部材（ワンウェイねじ）によって一度固着された第１固着部（左第１外側固着部４１２、右第１外側固着部５１２）と第２固着部（左第２外側固着部４２２、右第２外側固着部５２２）との固着は容易に解除できないため、外側固着部（主固着部）による結合を解除して基板ボックス１２０を開封するためには、外側固着部（主固着部）を内側固着部（副固着部）から切り離し、左側端封止手段４００や右側端封止手段５００を不可逆的に破壊する必要がある。これにより、基板ボックス１２０の開封を困難にすることができるとともに、基板ボックス１２０が開封されても当該開封の履歴が残るので、基板ボックス１２０の不正開封等を十分に回避することが可能となる。
さらに、外側固着部（主固着部）による結合の解除後に再び第１ケース部材２００と第２ケース部材３００とを結合する場合は、内側固着部（副固着部）によって第１ケース部材２００と第２ケース部材３００とを離反不能に結合する。
【０１２８】
なお、本実施形態では、左第１脆弱部４１３を、左第１内側固着部４１１の上下方向中央よりも上側の所定位置と左第１外側固着部４１２のうちの当該上側の所定位置に対向する位置とを連結する前後方向に長尺な連結板と、左第１内側固着部４１１の上下方向中央よりも下側の所定位置と左第１外側固着部４１２のうちの当該下側の所定位置に対向する位置とを連結する前後方向に長尺な連結板と、によって構成したが、これに限ることはなく、左第１脆弱部４１３の位置で分離可能となるよう左第１内側固着部４１１と左第１外側固着部４１２とを連結できるのであれば、左第１脆弱部４１３の構成は任意である。
その他の脆弱部（すなわち、左第２脆弱部４２３、右第１脆弱部５１３及び右第２脆弱部５２３）についても同様に、その構成は任意である。
【０１２９】
次に、基板ボックス１２０が備える溶着封止手段６００について説明する。
溶着封止手段６００は、例えば図３、図４に示すように、第１ケース部材２００及び第２ケース部材３００の前側端の左右方向中央と左右二箇所との合計三箇所に設けられており、それぞれ、第１ケース部材２００に設けられて、収納空間Ｓ＊内に配置された（閉止空間Ｓに収納された）遊技制御基板１１０の前側方に位置する第１溶着受部６１０と、第１溶着受部６１０に対応させて第２ケース部材３００に設けられて、収納空間Ｓ＊内に配置された（閉止空間Ｓに収納された）遊技制御基板１１０の前側方に位置する第２溶着受部６２０と、第１溶着受部６１０と第２溶着受部６２０とに溶着されて、当該第１溶着受部６１０と当該第２溶着受部６２０とを連結するための溶着部材６３０と、を備えて構成される。
【０１３０】
第２溶着受部６２０は、例えば図８（ａ），（ｂ）、図９（ａ），（ｂ）に示すように、閉止状態において挿通口２５１を介して閉止空間Ｓの外部に突出して第１溶着受部６１０と隣接するよう、第２ケース部材３００の基板支持部（挿入部）３２０を構成する前側部３２３（所定部位）の外面（前面）から外側（前側）に向けて突設されている。
前述したように、基板支持部（挿入部）３２０の前後方向の長さは、収納空間Ｓ＊の前後方向の長さと略同一となるよう設定されているので、第２ケース部材３００は、閉止状態への変換時に挿入開口２００ａから収納空間Ｓ＊内へとスライド挿入されて、閉止状態において前側部３２３（挿入先端部）が第１ケース部材２００を構成する前側壁２５０（奥側壁）と隣接するようになっている。第２溶着受部６２０は、当該前側部３２３の外面のうちの、第１ケース部材２００が有する挿通口２５１に対応する位置に突設されており、閉止状態において挿通口２５１から収納空間Ｓ＊の外部に突出するよう構成されている。
【０１３１】
具体的には、第２溶着受部６２０は、例えば図１２（ａ）、図２７に示すように、挿通口２５１と同一形状で同一サイズの凸字形状に突出しており、閉止状態において挿通口２５１内に配置される基部６２１と、閉止状態において閉止空間Ｓの外部に配置される突出部６２２と、を備えている。
【０１３２】
第２溶着受部６２０の後部をなす基部６２１の前後方向の長さは、挿通口２５１の前後方向の長さと略同一となるよう設定されている。また、第２溶着受部６２０は、挿通口２５１と同一形状で同一サイズの凸字形状に突出しているので、基部６２１は、閉止状態において挿通口２５１を閉塞可能となっている。そのため、例えば、閉止状態において第２溶着受部６２０（具体的には、突出部６２２）が切断されたとしても、挿通口２５１は基部６２１によって閉塞されており、当該挿通口２５１から針金やピアノ線などを挿入することができないので、挿通口２５１を介した遊技制御基板１１０への不正アクセス等を回避することが可能となる。
【０１３３】
第２溶着受部６２０の前後方向中央部及び前部をなす突出部６２２は、当該突出部６２２のうち前後方向略中央よりも後側の部分（すなわち、第２溶着受部６２０の前後方向中央部である基部６２１寄りの部分）に、凸部を除去することにより形成された係合受部６２２ａを有している。したがって、第２溶着受部６２０の前面視外形は、挿通口２５１と同一形状で同一サイズの凸字形状を呈しているが、当該第２溶着受部６２０の左面視（或いは右面視）外形は凹字形状を呈している。
【０１３４】
第１溶着受部６１０は、例えば図５（ａ），（ｂ）、図６（ａ），（ｂ）に示すように、第１ケース部材２００を構成する前側壁２５０（所定の壁部）の外面（前面）のうち挿通口２５１に対応する位置から外側（前側）に向けて突設されている。
具体的には、第１溶着受部６１０は、例えば図６（ａ），（ｂ）、図７（ｂ）に示すように、開放端部が第１ケース部材２００に接続された上面視略コ字形状を呈してなり、上端部は開口しているが、下端部は閉口している。すなわち、第１溶着受部６１０は、その内部に、上部に開口を有する凹室状の空間が形成されている。
【０１３５】
第１溶着受部６１０の内部（凹室状の空間）の左右方向の長さは、例えば図７（ｂ）に示すように、挿通口２５１（具体的には、挿通口２５１のうちの下側部分）の左右方向の長さと同一となるよう設定されている。
また、第１溶着受部６１０の内部（凹室状の空間）の上下方向の長さは、例えば図７（ｂ）に示すように、挿通口２５１（具体的には、挿通口２５１の左右方向中央部）の上下方向の長さよりも長くなるよう設定されている。さらに、第１溶着受部６１０の内部の上下方向の長さは、例えば図２７に示すように、第２溶着受部６２０の突出部６２２と溶着部材６３０とが係合（後述）した状態の上下方向の長さよりも若干長くなるよう設定されている。
すなわち、第１溶着受部６１０の内部は、溶着部材６３０と、閉止状態において当該挿通口２５１から突出した第２溶着受部６２０の突出部６２２と、を収容可能となるよう形成されている。
【０１３６】
ここで、第２溶着受部６２０の突出部６２２は、当該第２溶着受部６２０の突出方向（前後方向）に沿って挿通口２５１を介して第１溶着受部６１０の内部に侵入して、当該第１溶着受部６１０に収容されるよう構成されている。
また、溶着部材６３０は、第２溶着受部６２０の突出方向に直交する方向（本実施形態では上下方向）に沿って第１溶着受部６１０の開口した端部（上端部）を介して第１溶着受部６１０の内部に侵入（進入）して、当該第１溶着受部６１０に収容されるよう構成されている。
【０１３７】
溶着部材６３０は、例えば図２７に示すように、閉止空間Ｓの外部で隣接した第１溶着受部６１０と第２溶着受部６２０とに溶着されて、当該第１溶着受部６１０と当該第２溶着受部６２０とを隣接した状態で連結するための部材である。
具体的には、溶着部材６３０は、例えば図１２（ｂ），（ｃ）に示すように、直方体形状呈してなり、当該溶着部材６３０のうち上下方向中央よりも下側の部分に前後方向に沿って第２溶着受部６２０の凸部が嵌まる凹部を有するとともに、当該溶着部材６３０のうち前後方向略中央よりも後側の部分に、当該凹部を埋めることにより形成された係合部６３０ａを有している。したがって、溶着部材６３０の前面は凹字形状を呈しているが、当該溶着部材６３０の後面は矩形状を呈している。そして、溶着部材６３０は、第１溶着受部６１０の内部（凹室状の空間）及び第２溶着受部６２０の突出部６２２に溶着されるよう構成されている。
【０１３８】
溶着部材６３０が有する係合部６３０ａの前後方向の長さは、第２溶着受部６２０の突出部６２２が有する係合受部６２２ａの前後方向の長さと同一となるよう設定されている。
すなわち、溶着部材６３０は、当該溶着部材６３０が有する係合部６３０ａが、第２溶着受部６２０の突出部６２２が有する係合受部６２２ａに係合することによって、突出部６２２に係合可能となっている。
【０１３９】
また、溶着部材６３０の前後方向の長さ及び左右方向の長さはそれぞれ、第１溶着受部６１０の内部（凹室状の空間）の前後方向の長さ及び左右方向の長さと同一となるよう設定されているとともに、溶着部材６３０の上下方向の長さは、当該溶着部材６３０と第２溶着受部６２０の突出部６２２とが係合した状態の上下方向の長さが、第１溶着受部６１０の内部の上下方向の長さよりも若干短くなるよう設定されている。
すなわち、溶着部材６３０は、第１溶着受部６１０の内部に嵌入可能な大きさに形成され、当該溶着部材６３０が第１溶着受部６１０の内部に嵌入すると、当該第１溶着受部６１０の内部に収容された第２溶着受部６２０の突出部６２２を被覆するよう構成されている。
【０１４０】
ここで、溶着部材６３０は、当該溶着部材を第１溶着受部６１０の内部に収容すると、当該第１溶着受部６１０の内部に収容されている第２溶着受部６２０の突出部６２２に係合するよう構成されている。また、溶着部材６３０は、例えば図２７に示すように、当該溶着部材６３０が閉止状態において第２溶着受部６２０の突出部６２２に係合すると、当該溶着部材６３０の後面が、第１ケース部材２００を構成する前側壁２５０の外面のうち挿通口２５１の縁部（具体的には、挿通口２５１の縁部のうち上側部分）に当接するとともに、当該溶着部材６３０が有する係合部６３０ａの前面が、第２溶着受部６２０の突出部６２２が有する凸部の後面に当接するよう構成されている。そのため、溶着部材６３０は、当該溶着部材６３０が閉止状態において第２溶着受部６２０の突出部６２２に係合すると、第２溶着受部６２０の移動（すなわち、第２ケース部材３００の移動）を規制して、閉止状態を維持できるようになっている。
【０１４１】
次に、基板ボックス１２０が備える貼着領域Ｒと、当該貼着領域Ｒに貼着される電子タグシール１３０と、について説明する。
【０１４２】
貼着領域Ｒは、例えば図２３（ａ）に示すように、右側端封止手段５００の第１固着部（右第１固着部５１０）と第２固着部（右第２固着部５２０）とに跨って形成されている。
具体的には、前述したように、右第１固着部５１０の外面及び右第２固着部５２０の外面は、閉止状態において互いに面一となるよう設定されており、貼着領域Ｒは、当該右第１固着部５１０の外面（具体的には、右第１内側固着部５１１の外面及び右第１外側固着部５１２の外面）と、当該右第２固着部５２０の外面（具体的には、右第２内側固着部５２１の外面及び右第２外側固着部５２２の外面）と、に跨って形成されている。すなわち、貼着領域Ｒは、右側端封止手段５００において、主固着部（右第１外側固着部５１２及び右第２外側固着部５２２）と、副固着部（右第１内側固着部５１１及び右第２内側固着部５２１）と、に跨って形成されている。
したがって、右第１固着部５１０と右第２固着部５２０との重合境界と、脆弱部（右第１脆弱部５１３及び右第２脆弱部５２３）と、の双方が貼着領域Ｒを横断している。
【０１４３】
電子タグシール１３０は、遊技機１０が設置された遊技場の店員等が、所定の読取装置を用いて当該電子タグシール１３０が有する電子タグ１３１から当該電子タグシール１３０が貼着された遊技制御装置１００を識別するための識別情報を読み取って、遊技制御装置１００の不正交換等を確認するためのものである。
具体的には、電子タグシール１３０は、例えば図１４（ａ），（ｂ），（ｃ）に示すように、長尺状に形成されたＲＦＩＣタグ等の電子タグ１３１と、矩形状に形成されたベースシール１３２と、により構成されている。
【０１４４】
ベースシール１３２は、一方の面が粘着面になっており、他方の面に「開封禁止」の文字等が印字されている。
【０１４５】
電子タグ１３１は、ベースシール１３２の粘着面のうちの一方の対角線上に貼り付けられており、遊技制御装置１００固有の識別情報を記憶するチップ部１３１ａと、当該チップ部１３１ａが記憶する識別情報を発信可能なアンテナ部１３１ｂ，１３１ｂと、当該チップ部１３１ａと当該アンテナ部１３１ｂ，１３１ｂとを支持するタグシート１３１ｃと、を有している。
タグシート１３１ｃは、例えば図１４（ｂ）に示すように、長尺状に形成されており、当該タグシート１３１ｃの中央部にチップ部１３１ａが配設されているとともに、チップ部１３１ａの両端から突出した線状のアンテナ部１３１ｂ，１３１ｂが当該タグシート１３１ｃの長手方向に沿って配設されている。
【０１４６】
ここで、電子タグ１３１がベースシール１３２の対角線上に貼り付けられているので、貼着領域Ｒに貼着された電子タグシール１３０においては、第１固着部と第２固着部との重合境界（具体的には、右第１内側固着部５１１と右第２内側固着部５２１との重合境界、右第１外側固着部５１２と右第２外側固着部５２２との重合境界）と、電子タグ１３１と、が交差している。これにより、基板ボックス１２０を開封するために第１固着部と第２固着部との重合を解除すると、当該重合部分（重合境界）で電子タグ１３１が破損することになるので、基板ボックス１２０の不正開封を抑制できるとともに、基板ボックス１２０の不正開封を発見し易くすることができる。
また、電子タグ１３１がベースシール１３２の対角線上に貼り付けられているので、貼着領域Ｒに貼着された電子タグシール１３０においては、脆弱部（具体的には、右第１脆弱部５１３、右第２脆弱部５２３）と、電子タグ１３１と、が交差している。これにより、基板ボックス１２０を開封するために脆弱部を破壊して外側固着部を内側固着部から切り離すと、当該脆弱部で電子タグ１３１が破損することになるので、基板ボックス１２０の不正開封を抑制できるとともに、基板ボックス１２０の不正開封を発見し易くすることができる。
なお、電子タグ１３１には、第１固着部と第２固着部との重合解除や、脆弱部の破壊などに伴って破損し易くなるよう、脆弱部（例えば、切れ込み部）が設けられていても良い。
【０１４７】
次に、基板ボックス１２０が備える保護カバー部材７００について説明する。
保護カバー部材７００は、貼着領域Ｒに貼着された電子タグシール１３０を保護するとともに、右側端封止手段５００を保護するための部材であり、右側端封止手段５００（右第１固着部５１０と右第２固着部５２０）に取り付けられて、保護カバー部材７００の内部に右側端封止手段５００を収納した状態で電子タグシール１３０を被覆するよう構成されている。
【０１４８】
具体的には、保護カバー部材７００は、例えば図１３（ａ），（ｂ）に示すように、その前面視（或いは後面視）外形が略Ｄ字形状を呈してなり、一側部（平面部（左側部））に開口を有する凹室状の空間が当該保護カバー部材７００の内部に形成されている。
そして、保護カバー部材７００は、例えば透光性の合成樹脂で形成されており、当該保護カバー部材７００の内部に収納された右側端封止手段５００や当該保護カバー部材７００で被覆された電子タグシール１３０を遊技制御装置１００の外部から視認できるようになっているとともに、電子タグシール１３０からの電波（具体的には、電子タグ１３１から発信された識別情報）を通すことができるようになっている。
【０１４９】
保護カバー部材７００は、当該保護カバー部材７００の内部（凹室状の空間）の前後方向の長さが、右側端封止手段５００の前後方向の長さと略同一又はそれよりも若干長くなるよう設定されているとともに、当該保護カバー部材７００の内部（凹室状の空間）の左右方向の長さが、右側端封止手段５００の左右方向の長さと略同一又はそれよりも若干長くなるよう設定されている。
具体的には、保護カバー部材７００は、例えば図２３（ｂ）に示すように、閉止状態において、当該保護カバー部材７００の左端部略全域が、第１ケース部材２００（具体的には、補強リブ２１１のうちの右端部分全域のリブの右面、右側壁２４０の外面（右面）、ストッパー２４１の右面等）及び第２ケース部材３００（具体的には、側方閉塞部３１６を構成する右側壁部の外面（右面）等）に当接し、かつ、当該保護カバー部材７００の内面に設けられた突起部７０１ａ，７０２ａ（後述）が、第１ケース部材２００に設けられた右第１外側固着部５１２の開口した前端部や第２ケース部材３００に設けられた右第２外側固着部５２２の開口した後端部に嵌まるよう形成されている。
【０１５０】
例えば図１３（ａ），（ｂ）に示すように、保護カバー部材７００を構成する前側壁部７０１及び後側壁部７０２において、当該前側壁部７０１のうちの左側部分及び当該後側壁部７０２のうちの左側部分は、保護カバー部材７００を構成する湾曲壁部７０３に連結されているのに対し、当該前側壁部７０１のうちの右側部分及び当該後側壁部７０２のうちの右側部分は、湾曲壁部７０３に連結されていない。そのため、前側壁部７０１のうちの右側部分及び後側壁部７０２のうちの右側部分は、左側部分を支点として、前後方向に弾性変形可能となっている。
【０１５１】
前側壁部７０１は、当該前側壁部７０１の内面（後面）のうちの右側部分に、保護カバー部材７００を右側端封止手段５００に取り付けた状態において、当該右側端封止手段５００を構成する右第１固着部５１０の外側固着部（すなわち、右第１外側固着部５１２）の開口した前端部に嵌合可能な突起部７０１ａを有している。
また、同様に、後側壁部７０２は、当該後側壁部７０２の内面（前面）のうちの右側部分に、保護カバー部材７００を右側端封止手段５００に取り付けた状態において、当該右側端封止手段５００を構成する右第２固着部５２０の外側固着部（すなわち、右第２外側固着部５２２）の開口した後端部に嵌合可能な突起部７０２ａを有している。
すなわち、保護カバー部材７００は、突起部７０１ａが右第１外側固着部５１２の開口した前端部に嵌まることによって、及び／又は、突起部７０２ａが右第２外側固着部５２２の開口した後端部に嵌まることによって、右側端封止手段５００に固定されるよう構成されている。
【０１５２】
突起部７０１ａ，７０２ａのうちの右側部分は、その端部が、前側壁部７０１や後側壁部７０２の内面に対して垂直に起立しているのに対し、突起部７０１ａ，７０２ａのうちの左側部分は、内側（左側）に向かうにつれて徐々に突出度合いが小さくなる傾斜面となっている。
このように、保護カバー部材７００は、右側端封止手段５００に容易に取り付けることができるよう構成されているとともに、一旦右側端封止手段５００に取り付けられると、当該右側端封止手段５００から容易に取り外すことができないよう構成されている。
【０１５３】
具体的には、保護カバー部材７００を右側端封止手段５００に取り付ける際には、前側壁部７０１のうちの右側部分や後側壁部７０２のうちの右側部分を外側（具体的には、前側壁部７０１の場合は前側、後側壁部７０２の場合は後側）に向けて変形させるよう、右側端封止手段５００が、突起部７０１ａ，７０２ａの傾斜面に沿って、前側壁部７０１のうちの右側部分と後側壁部７０２のうちの右側部分との間隔を押し広げていく。そのため、突起部７０１ａ，７０２ａが邪魔になることがなく、保護カバー部材７００を右側端封止手段５００に容易に取り付けることが可能となる。
そして、保護カバー部材７００が右側端封止手段５００に取り付けられると、前側壁部７０１のうちの右側部分及び後側壁部７０２のうちの右側部分が元の状態に復帰して、当該前側壁部７０１が有する突起部７０１ａが、当該右側端封止手段５００を構成する右第１外側固着部５１２の開口した前端部に嵌まるとともに、当該後側壁部７０２が有する突起部７０２ａが、当該右側端封止手段５００を構成する右第２外側固着部５２２の開口した後端部に嵌まる。これにより、保護カバー部材７００を右側端封止手段５００に固定することが可能となる。
一方、保護カバー部材７００を右側端封止手段５００から取り外す際には、突起部７０１ａ，７０２ａのうちの右側部分の端部（すなわち、前側壁部７０１や後側壁部７０２の内面に対して垂直に起立している部分）が、右第１外側固着部５１２や右第２外側固着部５２２の内面に引っかかる。そのため、突起部７０１ａ，７０２ａが邪魔になって、保護カバー部材７００を右側端封止手段５００から取り外すことが困難となる。
【０１５４】
すなわち、固着部材（右固着部材５３０）を第１固着部（右第１外側固着部５１２）と第２固着部（右第２外側固着部５２２）とに挿通する際に当該固着部材が通る貫通孔（右第２外側固着部５２２の内部）によって係合受部が構成されているとともに、保護カバー部材７００の内面に形成されて、貫通孔（右第２外側固着部５２２の内部）に嵌まる突起部７０２ａによって係合部が構成されている。そして、保護カバー部材７００は、係合部が係合受部に係合することで第１固着部（右第１外側固着部５１２）及び第２固着部（右第２外側固着部５２２）に取り付けられるよう構成されている。
【０１５５】
また、突起部７０１ａ，７０２ａは、第１ケース部材２００と第２ケース部材３００とを最初に結合するための主固着部、すなわち副固着部よりも先に破壊される主固着部（右第１外側固着部５１２、右第２外側固着部５２２）のみに係合するので、主固着部が破壊されると、保護カバー部材７００を取り付けることができなくなる。そのため、第１ケース部材２００と第２ケース部材３００との最初の結合解除（すなわち、主固着部の破壊）による基板ボックス１２０の不正開封を抑制できるとともに、第１ケース部材２００と第２ケース部材３００との最初の結合解除（すなわち、主固着部の破壊）による基板ボックス１２０の不正開封を発見し易くすることができる。
【０１５６】
次に、遊技制御装置１００の組み立て方の一例について説明する。
まず、例えば図１９（ａ）に示すように、遊技制御基板１１０に実装されている複数のコネクタ１１６のうちの該当するコネクタ１１６に端子カバー部材１６０を装着する。
次いで、例えば図１９（ｂ）に示すように、遊技制御基板１１０を第２ケース部材３００に取り付けて、なべネジ１７０で固定する。
次いで、例えば図２１に示すように、第２ケース部材３００を挿入開口２００ａから収納空間Ｓ＊内へとスライド挿入して、当該収納空間Ｓ＊を閉止する。具体的には、第２ケース部材３００のスライドガイド壁３３２ａ，３３２ａの挿入先端側の端部（前端部）を、第１ケース部材２００のスライドガイド溝部２２２，２２２の挿入開口２００ａ側の端部（後端部）に挿入し、その状態のまま、第２ケース部材３００を第１ケース部材２００に対して前方向へと移動させて、挿入開口２００ａを当該第２ケース部材３００で閉塞する。
【０１５７】
次いで、例えば図２１に示すように、溶着部材６３０を第１溶着受部６１０の内部に収容して、当該第１溶着受部６１０の内部に収容されている第２溶着受部６２０の突出部６２２に係合させる。
次いで、例えば図２６に示すように、左側端封止手段４００の外側固着部（左第１外側固着部４１２及び左第２外側固着部４２２）を左固着部材４３０で固着（本締め）するとともに、右側端封止手段５００の外側固着部（右第１外側固着部５１２及び右第２外側固着部５２２）を右固着部材５３０で固着（本締め）する。そして、左第１外側固着部４１２の開口した前端部から封印キャップＣを挿入し、超音波溶着や熱溶着などの公知の溶着法によって当該封印キャップＣを左第１外側固着部４１２の内面に溶着するとともに、右第２外側固着部５２２の開口した後端部から封印キャップＣを挿入し、超音波溶着や熱溶着などの公知の溶着法によって当該封印キャップＣを右第２外側固着部５２２の内面に溶着する。
また、例えば図２６に示すように、左側端封止手段４００の内側固着部（左第２内側固着部４２１）に左固着部材４３０を挿入して仮締めするとともに、右側端封止手段５００の内側固着部（右第２内側固着部５２１）に右固着部材５３０を挿入して仮締めする。
このように、封印キャップＣによって本締めされた固着部材を封印しているので、本締めされた固着部材が直接いじられることを回避することができる。
次いで、超音波溶着や熱溶着などの公知の溶着法によって、第１溶着受部６１０の内部に収容されて第２溶着受部６２０の突出部６２２に係合している溶着部材６３０を、第１溶着受部６１０の内部及び第２溶着受部６２０の突出部６２２に溶着する。
【０１５８】
次いで、例えば図２３（ａ）に示すように、右側端封止手段５００の貼着領域Ｒに電子タグシール１３０を貼着する。
最後に、例えば図２３（ｂ）に示すように、右側端封止手段５００に保護カバー部材７００を取り付けることによって、遊技制御装置１００を組み立てることができる。
そして、組み立てられた遊技制御装置１００を遊技機１０に搭載する際には、例えば、基板ボックス１２０の側面に設けられた取付部（図示省略）が有するネジ孔になべネジ（図示省略）を挿通して、当該なべネジによって遊技盤３０の背面に設けられる取付ベース等に固定する。
【０１５９】
以上説明した本実施形態の遊技機１０によれば、表面１１０ａに遊技用マイクロコンピュータ（制御デバイス１１２）が実装される制御基板（遊技制御基板１１０）と、当該遊技制御基板１１０を内部に収納するための透明樹脂製の基板ボックス１２０と、を有する制御装置（遊技制御装置１００）を備えた遊技機１０において、基板ボックス１２０は、一側部に挿入開口２００ａを有する凹室状の収納空間Ｓ＊を画成する第１ケース部材２００と、遊技制御基板１１０が取り付けられ、当該遊技制御基板１１０を収納空間Ｓ＊内に配置した状態で第１ケース部材２００と合体することが可能であるとともに、当該合体した状態で挿入開口２００ａの縁部と接合して当該挿入開口２００ａを閉塞することが可能な第２ケース部材３００と、第１ケース部材２００の挿入開口２００ａを第２ケース部材３００で閉塞して収納空間Ｓ＊を閉止する閉止状態を保持したまま、第１ケース部材２００と第２ケース部材３００とを離反不能に結合することが可能な封止手段（左側端封止手段４００、右側端封止手段５００、溶着封止手段６００）と、を備え、第１ケース部材２００は、遊技制御基板１１０の表面と対向する上壁２２０に、挿入開口２００ａ側の端部から収納空間Ｓ＊の奥行き方向に沿って設けられた露出用切欠部２２１を有し、第２ケース部材３００は、制御デバイス１１２の周囲を囲繞して保護するための囲繞カバー部３３０を備え、囲繞カバー部３３０は、閉止状態において収納空間Ｓ＊の外部に臨んだ状態で露出用切欠部２２１を塞ぐよう構成されている。
【０１６０】
したがって、制御デバイス１１２の周囲を囲繞して保護するための囲繞カバー部３３０を備えているので、遊技制御基板１１０に実装された制御デバイス１１２に対するセキュリティを担保することができる。
また、基板ボックス１２０を構成するケース部材として第１ケース部材２００と第２ケース部材３００とを備えており、囲繞カバー部３３０は当該第２ケース部材３００に備えられているので、囲繞カバー部を備えるケース部材をさらに備えている場合と比較して、基板ボックス１２０の薄型化が可能となる。さらに、第１ケース部材２００の一側部に設けられた挿入開口２００ａから当該第１ケース部材２００により画成される収納空間Ｓ＊内へと第２ケース部材３００をスライド挿入することによって、挿入開口２００ａが第２ケース部材３００で塞がれて収納空間Ｓ＊が閉止される。そのため、基板ボックスが上方に開口する下蓋と下方に開口する上蓋とからなる場合と比較して、基板ボックス１２０の薄型化が可能となる。
また、囲繞カバー部３３０は、閉止状態において収納空間Ｓ＊の外部に臨んでいる。すなわち、制御デバイス１１２は、囲繞カバー部３３０のみに覆われているので、制御デバイスが二重に覆われている場合と比較して、制御デバイス１１２の目視検査が行い易くなる。
【０１６１】
また、本実施形態の遊技機１０によれば、囲繞カバー部３３０は、下部に制御デバイス１１２を挿入可能なデバイス挿入口３３１ａを有し、当該デバイス挿入口３３１ａから挿入された制御デバイス１１２を収納することが可能な凹室状の空間が内部に形成された囲繞カバー本体部３３１と、囲繞カバー本体部３３１から外側に向けて突設される囲繞カバー本体支持部３３２と、を備え、囲繞カバー本体部３３１は、閉止状態において露出用切欠部２２１を介して収納空間Ｓ＊の外部に臨み、囲繞カバー本体支持部３３２は、閉止状態において露出用切欠部２２１を塞ぐよう構成されている。
【０１６２】
したがって、露出用切欠部２２１は、閉止状態において囲繞カバー本体支持部３３２によって塞がれており、針金やピアノ線などの不正部材を挿入し難くなっているので、遊技制御基板１１０への不正アクセス等を抑制することが可能となり、遊技制御基板１１０に対するセキュリティが高まる。
【０１６３】
また、本実施形態の遊技機１０によれば、囲繞カバー本体支持部３３２は、囲繞カバー本体部３３１の下端部から外側に向けて突設されてなり、閉止状態において第１ケース部材２００の上壁２２０に下方から重合して露出用切欠部２２１を塞ぐよう構成されている。
【０１６４】
したがって、囲繞カバー本体支持部３３２は、閉止状態において第１ケース部材２００の上壁２２０に下方から重合して露出用切欠部２２１を塞いでいるので、露出用切欠部２２１から針金やピアノ線などの不正部材が挿入されたとしても、当該挿入された不正部材が制御デバイス１１２に向けて侵入し難い。
すなわち、囲繞カバー本体支持部が第１ケース部材２００の上壁２２０に上方から重合して露出用切欠部２２１を塞いでいる場合には、露出用切欠部２２１から不正部材を挿入する際、当該不正部材を囲繞カバー本体支持部の下方内側に向けて挿入することになるので、当該挿入された不正部材が制御デバイス１１２に向けて侵入し易くなる。これに対し、囲繞カバー本体支持部３３２が第１ケース部材２００の上壁２２０に下方から重合して露出用切欠部２２１を塞いでいる場合には、露出用切欠部２２１から不正部材を挿入する際、当該不正部材を囲繞カバー本体支持部３３２の下方よりも外側に向けて挿入することになるので、当該挿入された不正部材が制御デバイス１１２に向けて侵入し難くなる。そのため、制御デバイス１１２への不正アクセス等を抑制することが可能となり、制御デバイス１１２に対するセキュリティが高まる。
【０１６５】
また、本実施形態の遊技機１０によれば、遊技制御基板１１０には、実装時の高さが制御デバイス１１２よりも低いその他の電子部品１１１が面実装されているとともに、当該遊技制御基板１１０の表面１１０ａのうちの制御デバイス１１２が実装された領域の周囲には、その他の電子部品１１１が実装されない非実装領域が設けられており、囲繞カバー本体支持部３３２は、閉止状態において非実装領域に近接している。
【０１６６】
すなわち、遊技制御基板１１０の表面１１０ａのうちの制御デバイス１１２が実装された領域の周囲には、制御デバイス１１２もその他の電子部品１１１も実装されていない非実装領域が設けられているので、囲繞カバー本体支持部３３２を非実装領域に近接乃至当接させることができる。これにより、囲繞カバー本体支持部３３２と非実装領域（遊技制御基板１１０の表面１１０ａ）との間の隙間から針金やピアノ線などの不正部材が挿入し難くなるので、制御デバイス１１２への不正アクセス等を抑制することが可能となり、制御デバイス１１２に対するセキュリティが高まる。
また、その他の電子部品１１１が上面に個体を識別するための識別子が付された面実装部品であるので、その他の電子部品１１１がディップ部品である場合と比較して、第１ケース部材２００の厚みを抑制することができ、基板ボックス１２０の薄型化が可能となる。
【０１６７】
なお、本実施形態では、囲繞カバー本体支持部３３２を、閉止状態において非実装領域に近接するよう構成したが、これに限ることはなく、非実装領域に当接するよう構成しても良い。
【０１６８】
また、本実施形態の遊技機１０によれば、第１ケース部材２００の上壁２２０のうちの露出用切欠部２２１の縁部と、囲繞カバー本体支持部３３２のうちの閉止状態において露出用切欠部２２１の縁部と対向する位置と、のうちの何れか一方には、収納空間Ｓ＊の奥行き方向に沿って延設されたスライドガイド溝部２２２が設けられているとともに、何れか他方には、収納空間Ｓ＊の奥行き方向に沿って延設されて閉止状態への変換時にスライドガイド溝部２２２にスライド可能に係合するスライド部（スライドガイド壁３３２ａ）が設けられている。
【０１６９】
したがって、スライド部（スライドガイド壁３３２ａ）をスライドガイド溝部２２２にスライド係合させて、第１ケース部材２００の収納空間Ｓ＊の奥側方向へと第２ケース部材３００をスライドさせるだけで、挿入開口２００ａが第２ケース部材３００で塞がれて収納空間Ｓ＊が閉止されるので、基板ボックス１２０の組み付け作業を楽に行うことができる。
また、スライドガイド壁３３２ａがスライドガイド溝部２２２にスライド係合するので、露出用切欠部２２１から針金やピアノ線などの不正部材が挿入されたとしても、当該係合構造によって、不正部材が基板ボックス１２０の内部へ侵入してしまうことを防止することができる。そのため、遊技制御基板１１０への不正アクセス等を回避することが可能となり、遊技制御基板１１０に対するセキュリティが高まる。
【０１７０】
また、本実施形態の遊技機１０によれば、第２ケース部材３００は、遊技制御基板１１０を表面を上に向けた状態で下方から取り付けることが可能であり、当該第２ケース部材３００に取り付けられた遊技制御基板１１０を支持することが可能であるとともに、閉止状態において遊技制御基板１１０とともに収納空間Ｓ＊内に配置される基板支持部（挿入部）３２０と、閉止状態において挿入開口２００ａを閉塞することが可能な開口閉塞部３１０と、を備え、基板支持部（挿入部）３２０は、少なくとも開口閉塞部３１０を一辺部として第２ケース部材３００に取り付けられた遊技制御基板１１０の外周を囲繞するとともに、その他の電子部品１１１を上方に露出させることが可能な枠状に形成され、囲繞カバー部３３０は、開口閉塞部３１０と、基板支持部（挿入部）３２０のうちの開口閉塞部３１０と対向する辺部（前側部３２３）と、の間に懸架されている。
【０１７１】
したがって、第２ケース部材３００に取り付けられた遊技制御基板１１０は、当該第２ケース部材３００が備える基板支持部（挿入部）３２０によって支持されているので、第２ケース部材３００に取り付けられた遊技制御基板１１０を収納空間Ｓ＊内へとスライド挿入する際の作業性が向上し、基板ボックス１２０の組み付け作業を楽に行うことができる。
また、基板支持部（挿入部）３２０は、遊技制御基板１１０の外周を囲繞するとともに、その他の電子部品１１１を上方に露出させる枠状に形成されている。すなわち、閉止状態において遊技制御基板１１０の表面１１０ａのうち少なくとも一部は、第１ケース部材２００のみに覆われているので、遊技制御基板１１０の目視検査が行い易くなる。
また、囲繞カバー部３３０は、開口閉塞部３１０と、基板支持部（挿入部）３２０のうちの開口閉塞部３１０と対向する辺部（前側部３２３）と、の間に懸架されているので、囲繞カバー部３３０によって枠状の基板支持部（挿入部）３２０を補強することができる。
【０１７２】
また、本実施形態の遊技機１０によれば、挿入開口２００ａは、第１ケース部材２００の一の側部を少なくとも含む側部から上部の一部にかけて開口し、遊技制御基板１１０は、一の端部側に複数のコネクタ１１６が実装されているとともに、当該コネクタ１１６が開口閉塞部３１０側に配置された状態で第２ケース部材３００に取り付けられ、開口閉塞部３１０は、遊技制御基板１１０の表面と対向するとともにコネクタ１１６を基板ボックス１２０の外部に露出させるためのコネクタ用開口３１２を有し、挿入開口２００ａを上方から閉塞することが可能な上方閉塞部３１１と、挿入開口２００ａを側方から閉塞することが可能な側方閉塞部３１６と、を備えている。
【０１７３】
したがって、コネクタ１１６は、閉止状態において、開口閉塞部３１０側に位置し、当該開口閉塞部３１０が有するコネクタ用開口３１２から外部に露出されており、第１ケース部材２００が画成する収納空間Ｓ＊内に配置されない。そのため、コネクタ１１６が収納空間Ｓ＊内に配置される場合と比較して、第１ケース部材２００の厚みを抑制することができるので、基板ボックス１２０の薄型化が可能となる。
【０１７４】
また、本実施形態の遊技機１０によれば、上方閉塞部３１１は、閉止状態において第１ケース部材２００の上壁２２０のうちの挿入開口２００ａ側の端部と当接する当接部３１１ａを有し、当接部３１１ａには、第１ケース部材２００の上壁２２０を下方から支持する下方支持部３１１ｂが設けられている。
【０１７５】
したがって、第１ケース部材２００の上壁２２０を下方から支持する下方支持部３１１ｂが設けられており、第１ケース部材２００の上壁２２０が下方へと変形してしまうことを抑制することができるので、第１ケース部材２００と第２ケース部材３００との間に隙間が生じてしまうことを抑制することができる。
【０１７６】
また、本実施形態の遊技機１０によれば、当接部３１１ａには、第１ケース部材２００の上壁２２０を上方から支持する上方支持部３１１ｃが設けられている。
【０１７７】
したがって、第１ケース部材２００の上壁２２０を上方から支持する上方支持部３１１ｃが設けられており、第１ケース部材２００の上壁２２０が上方へと変形してしまうことを抑制することができるので、第１ケース部材２００と第２ケース部材３００との間に隙間が生じてしまうことを抑制することができる。
【０１７８】
また、本実施形態の遊技機１０によれば、封止手段（左側端封止手段４００、右側端封止手段５００）は、第１ケース部材２００に設けられて、収納空間Ｓ＊内に配置された遊技制御基板１１０の側方に位置する第１固着部（左第１固着部４１０、右第１固着部５１０）と、第１固着部に対応させて第２ケース部材３００に設けられて、収納空間Ｓ＊内に配置された遊技制御基板１１０の側方に位置する第２固着部（左第２固着部４２０、右第２固着部５２０）と、第１固着部と第２固着部とに挿通されて、当該第１固着部と当該第２固着部とを固着するための固着部材（左固着部材４３０、右固着部材５３０）と、を備え、第１固着部及び第２固着部は、収納空間Ｓ＊内に配置された遊技制御基板１１０の厚み方向に直交する方向に重合し、固着部材は、第１固着部と第２固着部との重合方向に沿って挿通されて、当該第１固着部と当該第２固着部とを重合した状態で固着するよう構成されている。
【０１７９】
したがって、第１固着部及び第２固着部は、閉止空間Ｓに収納された（収納空間Ｓ＊内に配置された）遊技制御基板１１０の厚み方向に直交する方向に重合しているので、第１固着部及び第２固着部が閉止空間に収納された（収納空間Ｓ＊内に配置）制御基板の厚み方向に重合している場合と比較して、封止手段が基板ボックス１２０の厚み方向に分厚くならない。そのため、基板ボックス１２０の厚みを抑制することができるので、基板ボックス１２０の薄型化が可能となる。
また、第１固着部及び第２固着部は、閉止空間に収納された（収納空間Ｓ＊内に配置）遊技制御基板１１０の厚み方向に直交する方向に重合しているので、第１固着部及び第２固着部が閉止空間に収納された制御基板の厚み方向に重合している場合と比較して、封止手段の破壊（すなわち、第１固着部と第２固着部とのうちの少なくとも何れか一方の破壊）に伴い基板ボックス１２０の平面視外形が大きく変化する。そのため、封止手段の破壊による基板ボックス１２０の不正開封を抑制できるとともに、封止手段の破壊による基板ボックス１２０の不正開封を発見し易くすることができる。
【０１８０】
また、本実施形態の遊技機１０によれば、表面１１０ａに各種の電子部品１１１が実装される制御基板（遊技制御基板１１０）と、当該遊技制御基板１１０を内部に収納するための透明樹脂製の基板ボックス１２０と、を有する制御装置（遊技制御装置１００）を備えた遊技機１０において、電子部品１１１は、側面に識別情報が付されているとともに、記憶された遊技プログラムに従って遊技の制御を行う遊技用マイクロコンピュータ（制御デバイス１１２）と、制御デバイス１１２が実装された領域の周辺領域に実装され、実装時の高さが当該制御デバイス１１２よりも低いその他の電子部品１１１と、を含み、基板ボックス１２０のうち遊技制御基板１１０の表面１１０ａを覆う上面部は、周辺領域を覆う周辺領域カバー部（第１ケース部材２００を構成する上壁２２０と、囲繞カバー部３３０を構成する囲繞カバー本体支持部３３２）と、制御デバイス１１２を覆うデバイスカバー部（囲繞カバー部３３０を構成する囲繞カバー本体部３３１）と、を備え、デバイスカバー部は、下部に制御デバイス１１２を挿入可能なデバイス挿入口３３１ａを有し、当該デバイス挿入口３３１ａから挿入された制御デバイス１１２を収納することが可能な凹室状の空間が内部に形成されてなり、周辺領域カバー部は、デバイスカバー部の上部よりも遊技制御基板１１０寄りに配置されている。
【０１８１】
したがって、周辺領域カバー部が、デバイスカバー部の上部よりも遊技制御基板１１０寄りに配置されているので、デバイスカバー部のうち制御デバイス１１２の側面（印字面１１２ａ）に対向する部分（すなわち、囲繞カバー本体部３３１の側壁部）は、周辺領域カバー部よりも上方に突出した状態となっている。そのため、当該側壁部を介して、制御デバイス１１２の印字面１１２ａを視認することが可能となり、制御デバイス１１２の側面に識別情報が印字されている場合であっても、制御デバイス１１２の目視検査が行い易くなる。
【０１８２】
また、本実施形態の遊技機１０によれば、周辺領域は、その他の電子部品１１１が実装された実装領域と、実装領域と制御デバイス１１２が実装された領域との間に設けられ、電子部品１１１が実装されない非実装領域と、を含み、周辺領域カバー部のうち非実装領域に対応する部分には、遊技制御基板１１０側に向けて窪ませた視認段部Ｄが設けられている。
【０１８３】
したがって、周辺領域カバー部のうち非実装領域に対応する部分には、視認段部Ｄが設けられているので、制御デバイス１１２の印字面１１２ａの下端部分まで視認することが可能となり、視認段部Ｄが設けられていない場合と比較して、制御デバイス１１２の目視検査が行い易くなる。
【０１８４】
また、本実施形態の遊技機１０によれば、周辺領域カバー部のうち、実装領域を覆う部分から視認段部Ｄに落ち込む角部には、面取り部２２２ａが設けられている。
したがって、周辺領域カバー部のうち視認段部Ｄに落ち込む角部には、面取り部２２２ａが設けられているので、制御デバイス１１２の印字面１１２ａを視認する際の視野角が広がり、面取り部２２２ａが設けられていない場合と比較して、制御デバイス１１２の目視検査が行い易くなる。
【０１８５】
また、本実施形態の遊技機１０によれば、制御デバイス１１２は、本体部（制御デバイス１１２本体部）と、当該制御デバイス１１２本体部の下面から突設された端子部（制御デバイス１１２の脚部１１２ｂ）と、を備え、当該制御デバイス１１２本体部が遊技制御基板１１０から離間した状態で当該制御デバイス１１２の脚部１１２ｂによって当該遊技制御基板１１０に実装されてなり、基板ボックス１２０の内面のうち視認段部Ｄの底面となる部分は、制御デバイス１１２本体部の下面よりも遊技制御基板１１０に近接している。
【０１８６】
したがって、基板ボックス１２０の内面のうち視認段部Ｄの底面となる部分は、制御デバイス１１２本体部の下面よりも遊技制御基板１１０に近接しているので、制御デバイス１１２の印字面１１２ａの下端部分まで視認することが可能となり、遊技制御基板１１０に近接していない場合と比較して、制御デバイス１１２の目視検査が行い易くなる。
また、基板ボックス１２０の内面のうち視認段部Ｄの底面となる部分は、制御デバイス１１２本体部の下面よりも遊技制御基板１１０に近接しており、制御デバイス１１２の脚部１１２ｂの近傍に余分なスペースがないので、不正な電子部品を追加する等の不正行為を抑制することができる。
【０１８７】
また、本実施形態の遊技機１０によれば、その他の電子部品１１１は、上面に個体を識別するための識別子が付された面実装部品である。
したがって、その他の電子部品１１１は上面に個体を識別するための識別子が付された面実装部品であるので、周辺領域カバー部のうち実装領域を覆う部分を遊技制御基板１１０に近づけることができる。
そのため、基板ボックス１２０のうち周辺領域に対応する部分（すなわち、基板ボックス１２０のうち制御デバイス１１２を覆う部分以外の部分）の厚みを抑制することができるので、基板ボックス１２０の薄型化が可能となる。また、上面の識別子が付されているので、その他の電子部品の目視確認が行い易い。
【０１８８】
また、本実施形態の遊技機１０によれば、表面１１０ａに遊技制御用の電子部品１１１が実装される制御基板（遊技制御基板１１０）と、当該遊技制御基板１１０を内部に収納するための基板ボックス１２０と、を有する制御装置（遊技制御装置１００）を備えた遊技機１０において、基板ボックス１２０は、遊技制御基板１１０を収納するための閉止空間Ｓを画成する第１ケース部材２００及び第２ケース部材３００と、第１ケース部材２００と第２ケース部材３００との接合部分に設けられ、当該第１ケース部材２００と当該第２ケース部材３００とを合体させて閉止空間Ｓを画成する閉止状態を保持したまま、当該第１ケース部材２００と当該第２ケース部材３００とを離反不能に結合することが可能な封止手段（本実施形態では右側端封止手段５００）と、を備え、封止手段は、第１ケース部材２００から外側に向けて突設される第１固着部（右第１固着部５１０）と、閉止状態において第１固着部と重合するよう第２ケース部材３００から外側に向けて突設される第２固着部（右第２固着部５２０）と、第１固着部と第２固着部とに挿通されて、当該第１固着部と当該第２固着部とを重合した状態で固着するための固着部材（右固着部材５３０）と、を備え、第１固着部及び第２固着部は、他方と重合する側に底部を有するとともに当該他方と重合する側とは反対側が開口した有底筒状の主固着部（右第１外側固着部５１２、右第２外側固着部５２２）をそれぞれ備え、第１固着部の主固着部（右第１外側固着部５１２）は、当該主固着部の底部に、固着部材の頭部は通過不能で軸部は通過可能な孔部（ねじ孔）を有し、第２固着部の主固着部（右第２外側固着部５２２）は、当該主固着部の内部に主孔部（ねじ孔）を挿通された固着部材の軸部が係合する固着受部（ねじ止め部）を有し、固着部材は、第１固着部の主固着部と第２固着部の主固着部とを固着する際、第１固着部の主固着部のうち開口した側から第１固着部と第２固着部との重合方向に沿って挿通され、第１固着部の主固着部の重合方向の長さは、第２固着部の主固着部の重合方向の長さよりも長くなるよう設定されている。
【０１８９】
したがって、固着部材は、第１固着部の主固着部のうち開口した側から挿通されるので、第１固着部の主固着部と第２固着部の主固着部とを固着した固着状態において、固着部材の頭部は、第１固着部の主固着部の内部に収納される。そして、固着状態の固着部材の頭部が収納される第１固着部の主固着部の重合方向の長さは、第２固着部の主固着部の重合方向の長さよりも長いので、第１固着部の主固着部のうち開口した側の端部から固着状態の固着部材の頭部までの距離が長くなり、固着状態の固着部材の頭部を削る等の細工が施し難くなる。したがって、固着状態の固着部材に細工を加えて封止手段に破壊痕跡を残すことなく基板ボックス１２０を開封するといった不正行為を抑制することが可能となる。
【０１９０】
また、本実施形態の遊技機１０によれば、第１固着部（右第１固着部５１０）及び前記第２固着部（右第２固着部５２０）は、他方と重合する側に底部を有するとともに当該他方と重合する側とは反対側が開口した有底筒状の副固着部（右第１内側固着部５１１、右第２内側固着部５２１）をそれぞれ備え、主固着部（右第１外側固着部５１２、右第２外側固着部５２２）は、第１ケース部材２００と第２ケース部材３００とを最初に結合するためのものであるとともに、副固着部は、主固着部による結合の解除後に第１ケース部材２００と第２ケース部材３００とを再結合するためのものであり、第１固着部の副固着部（右第１内側固着部５１１）は、当該副固着部の底部に、固着部材（右固着部材５３０）の頭部は通過不能で軸部は通過可能な副孔部（ねじ孔）を有し、第２固着部の副固着部（右第２内側固着部５２１）は、当該副固着部の内部に副孔部（ねじ孔）を挿通された固着部材の軸部が係合する固着受部（ねじ止め部）を有し、固着部材は、第１固着部の副固着部と第２固着部の副固着部とを固着する際、第１固着部の副固着部のうち開口した側から第１固着部と第２固着部との重合方向（第１固着部と第２固着部との重合面に直交する方向）に沿って挿通され、第１固着部の副固着部の重合方向の長さは、第２固着部の副固着部の重合方向の長さよりも短くなるよう設定されている。
【０１９１】
したがって、固着部材は、第１固着部の副固着部のうち開口した側から挿入されるので、第１固着部の副固着部と第２固着部の副固着部とを固着した固着状態において、固着部材の頭部は、第１固着部の副固着部の内部に収納される。通常では開封検査として主固着部を破壊して制御基板に問題がなければ新たな制御装置に交換されるまでの仮運用として副固着部を固着して制御装置が再利用されることになっているが、固着状態の固着部材の頭部が収納される第１固着部の副固着部の重合方向の長さは、第２固着部の副固着部の重合方向の長さよりも短いので、第１固着部の副固着部のうち開口した側の端部から固着状態の固着部材の頭部までの距離が短くなり、制御装置の再利用時に副固着部に対して固着部材を固着状態にする際の作業を楽に行うことができる。
【０１９２】
また、本実施形態の遊技機１０によれば、予め記憶された固有の識別情報を発信可能な電子タグ１３１を有する電子タグシール１３０を備え、基板ボックス１２０は、電子タグシール１３０を貼着するための貼着領域Ｒを備え、第１固着部（右第１固着部５１０）の外面と第２固着部（右第２固着部５２０）の外面とは、閉止状態において重合方向に面一となるよう設定され、貼着領域Ｒは、第１固着部の外面と第２固着部の外面とに跨って形成されている。
【０１９３】
したがって、貼着領域Ｒが第１固着部の外面と第２固着部の外面とに跨って形成されており、貼着領域Ｒを専用に確保する必要がないので、効率よく基板ボックス１２０に電子タグシール１３０を貼着することができる。
また、第１固着部の外面と第２固着部の外面とは重合方向に面一となるよう設定されており、貼着領域Ｒは第１固着部の外面と第２固着部の外面とに跨って形成されているので、第１ケース部材２００と第２ケース部材３００との結合を解除（すなわち、基板ボックス１２０を開封）するために第１固着部と第２固着部との重合を解除すると、当該重合境界で電子タグシール１３０が破損することになる。そのため、第１固着部と第２固着部との重合解除による基板ボックス１２０の不正開封を抑制できるとともに、第１固着部と第２固着部との重合解除による基板ボックス１２０の不正開封を発見し易くすることができる。
【０１９４】
また、本実施形態の遊技機１０によれば、主固着部（右第１外側固着部５１２、右第２外側固着部５２２）及び副固着部（右第１内側固着部５１１、右第２内側固着部５２１）は、当該主固着部が当該副固着部よりも外側に位置するよう、閉止空間Ｓに収納された遊技制御基板１１０の厚み方向に直交する方向に並んで配設されており、貼着領域Ｒは、主固着部と副固着部とに跨って形成されており、閉止状態において第１固着部の主固着部と第２固着部の主固着部との間に形成される主側重合境界と、閉止状態において第１固着部の副固着部と第２固着部の副固着部との間に形成される副側重合境界と、は一直線上に並ばないよう重合方向にずらされている。
【０１９５】
したがって、貼着領域Ｒが主固着部と副固着部とに跨って形成されているので、第１ケース部材２００と第２ケース部材３００との最初の結合を解除するために主固着部を破壊すると、電子タグシール１３０も破損することになる。そのため、第１ケース部材２００と第２ケース部材３００との最初の結合解除による基板ボックス１２０の不正開封を抑制できるとともに、第１ケース部材２００と第２ケース部材３００との最初の結合解除による基板ボックス１２０の不正開封を発見し易くすることができる。
また、貼着領域Ｒが主固着部と副固着部とに跨って形成されているとともに、主側重合境界と副側重合境界とが一直線上に並ばないよう重合方向にずらされているので、基板ボックス１２０の不正開封を抑制できるとともに、基板ボックス１２０の不正開封を発見し易くすることができる。すなわち、第１ケース部材２００と第２ケース部材３００との結合を解除（すなわち、基板ボックス１２０を開封）するために第１固着部と第２固着部との重合を解除すると、当該重合境界で電子タグシール１３０が破断することになるが、主側重合境界と副側重合境界とが一直線上に並ばないよう重合方向にずらされているので、電子タグシール１３０の破断面が汚くなる。そのため、第１固着部と第２固着部との重合解除による基板ボックス１２０の不正開封を抑制できるとともに、第１固着部と第２固着部との重合解除による基板ボックス１２０の不正開封を発見し易くすることができる。
【０１９６】
また、本実施形態の遊技機１０によれば、電子タグ１３１は、識別情報を記憶するチップ部１３１ａと、当該チップ部１３１ａが記憶する識別情報を発信可能なアンテナ部１３１ｂと、を有し、電子タグシール１３０は、主側重合境界と電子タグ１３１とが交差する状態で貼着領域Ｒに貼着されている。
【０１９７】
したがって、電子タグ１３１が主側重合境界と交差しているので、第１ケース部材２００と第２ケース部材３００との最初の結合を解除するために第１固着部の主固着部（右第１外側固着部５１２）と第２固着部の主固着部（右第２外側固着部５２２）との重合を解除すると、当該主側重合境界で電子タグ１３１が破損することになる。電子タグ１３１が破損すると、通信状態が悪くなり、識別情報が発信され難くなったり発信されなくなったりするため、所定の読取装置を電子タグシール１３０にかざすだけで、電子タグ１３１が破損しているか否か（すなわち、基板ボックス１２０が不正開封されたか否か）を検査することができる。そのため、第１固着部の主固着部と第２固着部の主固着部との重合解除による基板ボックス１２０の不正開封を抑制できるとともに、第１固着部の主固着部と第２固着部の主固着部との重合解除による基板ボックス１２０の不正開封を発見し易くすることができる。
【０１９８】
また、本実施形態の遊技機１０によれば、第１固着部（右第１固着部５１０）及び第２固着部（右第２固着部５２０）は、主固着部（右第１外側固着部５１２、右第２外側固着部５２２）と副固着部（右第１内側固着部５１１、右第２内側固着部５２１）とを分離可能に連結する脆弱部（右第１脆弱部５１３、右第２脆弱部５２３）をそれぞれ備え、電子タグシール１３０は、脆弱部と電子タグ１３１とが交差する状態で貼着領域Ｒに貼着されている。
【０１９９】
したがって、電子タグ１３１が脆弱部と交差しているので、脆弱部を破壊して主固着部を副固着部から切り離すと、当該脆弱部で電子タグ１３１が破損することになる。電子タグ１３１が破損すると、通信状態が悪くなり、識別情報が発信され難くなったり発信されなくなったりするため、所定の読取装置を電子タグシール１３０にかざすだけで、電子タグ１３１が破損しているか否か（すなわち、基板ボックス１２０が不正開封されたか否か）を検査することができる。そのため、脆弱部の破壊による基板ボックス１２０の不正開封を抑制できるとともに、脆弱部の破壊による基板ボックス１２０の不正開封を発見し易くすることができる。
【０２００】
また、本実施形態の遊技機１０によれば、基板ボックス１２０は、貼着領域Ｒに貼着された電子タグシール１３０を保護するための透明な保護カバー部材７００を備え、保護カバー部材７００は、その内部に一側部に開口を有する凹室状の内部空間が形成されてなり、当該内部空間に封止手段（右側端封止手段５００）を収納した状態で電子タグシール１３０を被覆するよう構成されている。
【０２０１】
したがって、電子タグシール１３０を保護するための透明な保護カバー部材７００を備えているので、電子タグシール１３０の不意の破損を防止することができる。
また、封止手段は、保護カバー部材７００の内部空間に収納されているため、封止手段の破壊による基板ボックス１２０の不正開封を抑制できる。
【０２０２】
また、本実施形態の遊技機１０によれば、表面１１０ａに遊技制御用の電子部品１１１が実装される制御基板（遊技制御基板１１０）と、当該遊技制御基板１１０を内部に収納するための基板ボックス１２０と、を有する制御装置（遊技制御装置１００）を備えた遊技機１０において、基板ボックス１２０は、遊技制御基板１１０を収納するための閉止空間Ｓを画成する第１ケース部材２００及び第２ケース部材３００と、第１ケース部材２００と第２ケース部材３００とを合体させて閉止空間Ｓを画成する閉止状態を保持したまま、第１ケース部材２００と第２ケース部材３００とを離反不能に結合することが可能な溶着封止手段６００と、を備え、第１ケース部材２００は、当該第１ケース部材２００を構成する壁部のうち、閉止状態において第２ケース部材３００の所定部位（本実施形態では前側部３２３）と対向する所定の壁部（本実施形態では前側壁２５０）に挿通口２５１を有し、溶着封止手段６００は、第１ケース部材２００の前側壁２５０の外面のうち挿通口２５１に対応する位置に設けられた第１溶着受部６１０と、第２ケース部材３００に設けられ、閉止状態において挿通口２５１を介して閉止空間Ｓの外部に突出して第１溶着受部６１０と隣接する第２溶着受部６２０と、閉止空間Ｓの外部で隣接した第１溶着受部６１０と第２溶着受部６２０とに溶着されて、当該第１溶着受部６１０と当該第２溶着受部６２０とを隣接した状態で連結するための溶着部材６３０と、を備えるよう構成されている。
【０２０３】
したがって、溶着によって第１ケース部材２００と第２ケース部材３００とを結合しているので、基板ボックス１２０の不正開封に対するセキュリティを高めることができる。
また、第１溶着受部６１０と第２溶着受部６２０とは、閉止空間Ｓの外部に突出、すなわち基板ボックス１２０から突出しているので、基板ボックス１２０の開封痕跡（具体的には、第１溶着受部６１０及び第２溶着受部６２０が切断された痕跡等）を見た目で把握することが可能となり、封止手段の破壊が発見し易くなる。
さらに、第１溶着受部６１０と第２溶着受部６２０とは、基板ボックス１２０から突出した状態で溶着部材６３０によって連結されており、第１溶着受部６１０及び第２溶着受部６２０を切断するだけで溶着封止手段６００を破壊することができるので、基板ボックス１２０を検査開封する際の作業性が向上する。
【０２０４】
また、本実施形態の遊技機１０によれば、第２溶着受部６２０は、閉止状態において挿通口２５１内に配置される基部６２１と、閉止状態において閉止空間Ｓの外部に配置される突出部６２２と、を備え、溶着部材６３０は、第２溶着受部６２０の突出部６２２に係合可能であり、当該溶着部材６３０が閉止状態において突出部６２２に係合すると、第１ケース部材２００の前側壁２５０の外面のうち挿通口２５１の縁部に当接して第２溶着受部６２０の移動を規制するよう構成されている。
【０２０５】
したがって、溶着部材６３０は、閉止状態において第２溶着受部６２０の突出部６２２に係合すると、第１ケース部材２００の挿通口２５１の縁部に当接して第２溶着受部６２０の移動（すなわち、第２ケース部材３００の移動）を規制することができる。つまり、溶着部材６３０を、溶着しなくても、第２溶着受部６２０の突出部６２２に係合させるだけで、閉止状態の維持が可能となる。したがって、溶着部材６３０の溶着前において閉止状態を維持しておくことができるので、溶着部材６３０の溶着が行い易くなる。
【０２０６】
また、本実施形態の遊技機１０によれば、第１溶着受部６１０は、当該第１溶着受部６１０の内部に、溶着部材６３０と第２溶着受部６２０の突出部６２２とを収容可能な収容空間が形成されてなり、突出部６２２は、第２溶着受部６２０の突出方向に沿って第１溶着受部６１０の内部に進入して収容空間に収容され、溶着部材６３０は、第２溶着受部６２０の突出方向に直交する方向に沿って第１溶着受部６１０の内部に進入して収容空間に収容され、当該溶着部材６３０を収容空間に収容すると、当該収容空間に収容されている突出部６２２に係合するよう構成されている。
【０２０７】
したがって、第２溶着受部６２０の突出部６２２を第１溶着受部６１０の内部に形成される収容空間に収容した後に、溶着部材６３０を収容空間に収容させるという簡単な操作だけで、溶着部材６３０が突出部６２２に係合し、第２溶着受部６２０の移動を規制することができる。したがって、当該簡単な操作だけで、溶着部材６３０の溶着前において閉止状態を維持しておくことができるので、溶着部材６３０の溶着が行い易くなる。
【０２０８】
また、本実施形態の遊技機１０によれば、溶着部材６３０は、第１溶着受部６１０の収容空間及び第２溶着受部６２０の突出部６２２に溶着されるよう構成されているとともに、収容空間に嵌入可能な大きさに形成され、当該溶着部材６３０が収容空間に嵌入すると、当該収容空間に収容されている突出部６２２を被覆するよう構成されている。
【０２０９】
したがって、溶着部材６３０は、第１溶着受部６１０に形成される収容空間に嵌入可能な大きさに形成されているので、溶着部材６３０の溶着前において当該溶着部材６３０が第１溶着受部６１０の収容空間から外れてしまうことを抑制できるとともに、当該溶着部材６３０を適切な位置に溶着することが可能となる。
また、溶着部材６３０は、第１溶着受部６１０の収容空間に嵌入すると、当該収容空間に収容されている第２溶着受部６２０の突出部６２２を被覆するので、当該突出部６２２のみを破壊（切断）して基板ボックス１２０を開封することができなくなる。したがって、基板ボックス１２０を開封するためには、第１溶着受部６１０と第２溶着受部６２０との両方を破壊（切断）する必要があるので、基板ボックス１２０の開封痕跡（具体的には、第１溶着受部６１０及び第２溶着受部６２０が切断された痕跡等）を見た目で把握することが可能となり、封止手段の破壊が発見し易くなる。
【０２１０】
また、本実施形態の遊技機１０によれば、基板ボックス１２０は、溶着封止手段６００による結合の解除後に第１ケース部材２００と第２ケース部材３００とを再結合するための副固着封止手段（副固着部）を、当該溶着封止手段６００とは別個に備え、副固着封止手段は、第１ケース部材２００と第２ケース部材３００との接合部分に設けられており、第１ケース部材２００に設けられた第１固着部（左第１内側固着部４１１、右第１内側固着部５１１）と、閉止状態において第１固着部と重合するよう第２ケース部材３００に設けられた第２固着部（左第２内側固着部４２１、右第２内側固着部５２１）と、第１固着部と第２固着部とに挿通されて、当該第１固着部と当該第２固着部とを重合した状態で固着するための固着部材（左固着部材４３０、右固着部材５３０）と、を備え、第２溶着受部６２０の基部６２１は、挿通口２５１を閉塞可能な大きさに形成されている。
【０２１１】
したがって、第１ケース部材２００と第２ケース部材３００とを再結合するための副固着封止手段を備えているので、基板ボックス１２０の検査開封の後も継続して遊技制御装置１００を使用することが可能となる。
また、閉止状態において挿通口２５１内に配置される第２溶着受部６２０の基部６２１は、当該挿通口２５１を閉塞可能な大きさに形成されているので、溶着封止手段６００を破壊するために第１溶着受部６１０及び第２溶着受部６２０が切断されたとしても、当該基部６２１により挿通口２５１が閉塞され、当該挿通口２５１から針金やピアノ線などの不正部材を挿入することができない。また、これにより、基板ボックス１２０の検査開封の後も遊技制御基板１１０に対するセキュリティを担保しつつ、継続して遊技制御装置１００を使用することが可能となる。
【０２１２】
また、本実施形態の遊技機１０によれば、表面１１０ａに遊技制御用の各種電子部品１１１及びコネクタ１１６が実装される制御基板（遊技制御基板１１０）と、当該遊技制御基板１１０を内部に収納するための閉止空間Ｓを画成する基板ボックス１２０と、を有する制御装置（遊技制御装置１００）を備えた遊技機１０において、コネクタ１１６は、コネクタ１１６本体部と、当該コネクタ１１６本体部の下端部から側方に突設されたコネクタ端子部（コネクタ１１６の脚部１１６ａ）と、を備え、当該コネクタ１１６の脚部１１６ａによって遊技制御基板１１０に面実装される面実装部品であり、基板ボックス１２０は、当該基板ボックス１２０のうち遊技制御基板１１０の表面１１０ａを覆う上面部（本実施形態では開口閉塞部３１０の上方閉塞部３１１）に、当該遊技制御基板１１０に実装されているコネクタ１１６のコネクタ１１６本体部を、当該基板ボックス１２０の外部に露出させるためのコネクタ用開口３１２を有し、遊技制御装置１００は、コネクタ１１６に嵌装された状態でコネクタ１１６の脚部１１６ａを保護するための端子カバー部材１６０を、基板ボックス１２０とは別個の部材として備え、端子カバー部材１６０は、コネクタ１１６本体部を挿入するためのコネクタ挿入口が形成され、基板ボックス１２０の上方閉塞部３１１と遊技制御基板１１０との間に挟持される端子カバー本体部１６１と、端子カバー本体部１６１のうちコネクタ挿入口の縁部からコネクタ１１６本体部の側面に沿って上方に立設された起立壁部１６２と、を備え、端子カバー本体部１６１は、当該端子カバー本体部１６１の内部にコネクタ１１６の脚部１１６ａを収容するための収容空間が形成され、端子カバー部材１６０がコネクタ１１６に嵌装されると、当該収容空間にコネクタ１１６の脚部１１６ａを収容した状態で当該脚部１１６ａを上部から側部にかけて覆うよう構成されている。
【０２１３】
したがって、端子カバー本体部１６１は、当該端子カバー本体部１６１の内部にコネクタ１１６の脚部１１６ａを収容するための収容空間が形成され、端子カバー部材１６０がコネクタ１１６に嵌装されると、当該収容空間にコネクタ１１６の脚部１１６ａを収容した状態で当該脚部１１６ａを上部から側部にかけて覆うので、面実装部品からなるコネクタ１１６の脚部１１６ａに対する不正アクセスやコネクタ１１６の脚部１１６ａの破損を防止することが可能となる。
すなわち、端子カバー本体部１６１は、コネクタ１１６の脚部１１６ａを上部から側部にかけて覆っているので、基板ボックス１２０のうち端子カバー部材１６０が取り付けられた箇所に押圧力が加わっても、コネクタ１１６の脚部１１６ａが折れてしまう等の不都合が生じることがない。また、端子カバー本体部１６１は、基板ボックス１２０の上方閉塞部３１１と遊技制御基板１１０との間に挟持されているとともに、起立壁部１６２は、コネクタ挿入口の縁部からコネクタ１１６本体部の側面に沿って上方に立設されており、端子カバー本体部１６１と上方閉塞部３１１や遊技制御基板１１０との間や、起立壁部１６２とコネクタ１１６本体部との間に隙間が生じることがないので、これらの隙間から針金やピアノ線などが挿入されて、コネクタ１１６の脚部１１６ａへの不正アクセスが行われてしまう等の不都合が生じることもない。
【０２１４】
また、本実施形態の遊技機１０によれば、遊技制御基板１１０には、複数のコネクタ１１６が実装されてなり、端子カバー部材１６０は、複数のコネクタ１１６それぞれに対応して複数備えられている。
【０２１５】
したがって、端子カバー部材１６０は、複数のコネクタ１１６それぞれに対応して複数備えられているので、各コネクタ１１６に端子カバー部材１６０を的確に嵌装することができる。
すなわち、端子カバー部材に、コネクタ群の各コネクタ１１６の形状に対応した複数の穴が設けられており、一の端子カバー部材で、複数のコネクタ１１６の周囲を一緒に覆うような構成の場合、基板に対するコネクタ１１６の取り付けガタ等の影響でコネクタ１１６が曲がって実装されていると、コネクタ１１６に端子カバー部材を的確に嵌装することができない場合がある。これに対し、本実施形態のように、端子カバー部材１６０が、コネクタ群の各コネクタ１１６それぞれに対応して複数備えられており、一の端子カバー部材１６０で、一のコネクタ１１６の周囲を覆うような構成の場合、基板に対するコネクタ１１６の取り付けガタ等の影響でコネクタ１１６が曲がって実装されていても、コネクタ１１６に端子カバー部材１６０を的確に嵌装することができる。
【０２１６】
また、本実施形態の遊技機１０によれば、端子カバー本体部１６１の収容空間は、下部に開口を有する凹室状に形成されているとともに、上部がコネクタ挿入口と連通し、端子カバー本体部１６１は、基板ボックス１２０の上方閉塞部３１１と遊技制御基板１１０との間に挟持された状態で、前記収容空間の上下方向の高さがコネクタ１１６の脚部１１６ａに接しない高さに設定されている。
【０２１７】
したがって、端子カバー本体部１６１の収容空間の上下方向の高さがコネクタ１１６の脚部１１６ａに接しない高さに設定されているので、コネクタ１１６の脚部１１６ａの破損を効果的に防止することが可能となる。
【０２１８】
また、本実施形態の遊技機１０によれば、コネクタ用開口３１２のサイズは、コネクタ１１６本体部よりも大きく設定され、起立壁部１６２は、少なくともコネクタ１１６本体部とコネクタ用開口３１２との間に形成される隙間に配置される高さを有するとともに、当該起立壁部１６２の上端部に外側に向けて下り傾斜するテーパ部１６２ａが形成されている。
【０２１９】
したがって、起立壁部１６２は、少なくともコネクタ１１６本体部とコネクタ用開口３１２との間に形成される隙間に配置される高さを有しているので、起立壁部１６２によって、コネクタ１１６本体部とコネクタ用開口３１２との間に形成される隙間が狭くなる。そのため、コネクタ１１６本体部とコネクタ用開口３１２との間に形成される隙間から針金やピアノ線などの不正部材が挿入し難くなるので、遊技制御基板１１０への不正アクセス等を抑制することが可能となり、遊技制御基板１１０に対するセキュリティが高まる。
また、起立壁部１６２は、当該起立壁部１６２の上端部に外側に向けて下り傾斜するテーパ部１６２ａを有しているので、コネクタ１１６本体部とコネクタ用開口３１２との間に形成される隙間から針金やピアノ線などの不正部材を挿入しようとしても、テーパ部１６２ａによって当該不正部材が外側に向けて誘導される。そのため、コネクタ１１６本体部とコネクタ用開口３１２との間に形成される隙間から針金やピアノ線などの不正部材が挿入し難くなるので、遊技制御基板１１０への不正アクセス等を抑制することが可能となり、遊技制御基板１１０に対するセキュリティが高まる。
【０２２０】
また、本実施形態の遊技機１０によれば、基板ボックス１２０は、上方閉塞部３１１に、遊技制御基板１１０側に向けて突設されて端子カバー本体部１６１の周囲を囲繞する端子カバー囲繞壁３１３を有し、端子カバー囲繞壁３１３は、当該端子カバー囲繞壁３１３の先端部が、遊技制御基板１１０に当接するよう構成されている。
【０２２１】
したがって、基板ボックス１２０は、遊技制御基板１１０側に向けて突設されて端子カバー本体部１６１の周囲を囲繞する端子カバー囲繞壁３１３を有し、当該端子カバー囲繞壁３１３の先端部は、遊技制御基板１１０に当接しているので、コネクタ用開口３１２から針金やピアノ線などの不正部材が挿入されたとしても、当該挿入された不正部材は基板ボックス１２０の内部に侵入できない。そのため、遊技制御基板１１０への不正アクセス等を抑制することが可能となり、遊技制御基板１１０に対するセキュリティが高まる。
【０２２２】
また、本実施形態の遊技機１０によれば、端子カバー囲繞壁３１３の内面と、端子カバー本体部１６１の側面と、の間には、所定の間隙が形成されている。
【０２２３】
したがって、端子カバー囲繞壁３１３の内面と、端子カバー本体部１６１の側面と、の間には所定の間隙が形成されているので、基板に対するコネクタ１１６の取り付けガタ等の影響で、コネクタ１１６に嵌装された端子カバー部材１６０が適正位置からずれていたとしても、当該端子カバー部材１６０の端子カバー本体部１６１の周囲を端子カバー囲繞壁３１３によって確実に囲繞することが可能となる。
また、端子カバー囲繞壁３１３の内面と、端子カバー本体部１６１の側面と、の間に所定の間隙が形成されているので、端子カバー部材１６０が嵌装されたコネクタ１１６をコネクタ用開口３１２に挿入する際の作業性が向上する。
【０２２４】
また、本実施形態の遊技機１０によれば、遊技制御基板１１０は、同一の幅を有するコネクタ１１６が隣り合って実装される隣装領域と、同一の幅を有するコネクタ１１６が隣り合って実装されていない非隣装領域と、を有し、端子カバー囲繞壁３１３は、隣装領域の複数のコネクタ１１６それぞれに嵌装される端子カバー部材１６０の端子カバー本体部１６１を一連に囲繞する一連端子カバー囲繞壁３１３ａと、非隣装領域のコネクタ１１６に嵌装される端子カバー部材１６０の端子カバー本体部１６１を単体で囲繞する単体端子カバー囲繞壁３１３ｂと、を備えている。
【０２２５】
したがって、端子カバー囲繞壁３１３は、一連端子カバー囲繞壁３１３ａを備えているので、端子カバー囲繞壁３１３をシンプルなものとすることが可能となる。
【０２２６】
なお、今回開示された実施の形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【０２２７】
例えば、遊技制御基板１１０の形状を矩形状としたが、これに限ることはなく、遊技制御基板１１０の形状は略四角形状等の所定の形状であれば任意であり、例えば、正方形であっても良い。
【０２２８】
また、第２ケース部材３００に遊技制御基板１１０を取り付けるよう構成したが、これに限ることはなく、収納空間Ｓ＊を画成する第１ケース部材２００に遊技制御基板１１０を取り付けるよう構成しても良い。
【０２２９】
また、挿入開口２００ａを第１ケース部材２００の長手方向に沿った互いに対向する側部のうちの何れか一方に設けて、第１ケース部材２００に対して第２ケース部材３００を着脱する際、第１ケース部材２００の短手方向に沿って第２ケース部材３００をスライドさせるよう構成したが、これに限ることはなく、挿入開口２００ａを第１ケース部材２００の短手方向に沿った互いに対向する側部のうちの何れか一方に設けて、第１ケース部材２００に対して第２ケース部材３００を着脱する際、第１ケース部材２００の長手方向に沿って第２ケース部材３００をスライドさせるよう構成しても良い。この場合、挿入開口２００ａを第１ケース部材２００の長手方向に沿った互いに対向する側部のうちの何れか一方に設ける場合と比較して、第１ケース部材２００と第２ケース部材３００との接合部分が少なくなるので、遊技制御装置１００への不正行為を一層回避することができる。
【０２３０】
また、第１ケース部材２００にスライドガイド溝部２２２を備え、第２ケース部材３００にスライド部（スライドガイド壁３３２ａ）を備えるよう構成したが、これに限ることはなく、第２ケース部材３００にスライドガイド溝部を備え、第１ケース部材２００に当該スライドガイド溝部に沿って移動可能なスライド部（スライドガイド壁）を備えるよう構成しても良い。
【０２３１】
また、囲繞カバー本体支持部３３２を、閉止状態において第１ケース部材２００の上壁２２０に下方から重合して露出用切欠部２２１を塞ぐよう構成したが、これに限ることはなく、囲繞カバー本体支持部３３２を、閉止状態において第１ケース部材２００の上壁２２０に上方から重合して露出用切欠部２２１を塞ぐよう構成しても良い。
【０２３２】
また、挿入開口２００ａを第１ケース部材２００の側部（具体的には、左側部の一部（後部）、後側部及び右側部の一部（後部））から第１ケース部材２００の上部の一部（後部）にかけて開口するよう構成したが、これに限ることはなく、挿入開口２００ａは、第１ケース部材２００に対する第２ケース部材３００のスライド挿入が可能となるよう、第１ケース部材２００の少なくとも一側部に形成されていれば良く、例えば、第１ケース部材２００の後側部（第１ケース部材２００の一の側部）から第１ケース部材２００の上部の一部にかけて開口するものであっても（すなわち、左側壁２３０及び右側壁２４０の前後方向の長さが下壁２１０の前後方向の長さと略同一となるよう構成しても）良いし、第１ケース部材２００の後側部のみに開口するものであっても（すなわち、上壁２２０、左側壁２３０及び右側壁２４０の前後方向の長さが下壁２１０の前後方向の長さと略同一となるよう構成しても）良い。
【０２３３】
また、係合受部を貫通孔（右第２外側固着部５２２の内部）によって構成するとともに、係合部を保護カバー部材７００の内面に形成されて当該貫通孔に嵌まる突起部（突起部７０２ａ）によって構成するようにしたが、これに限ることはなく、保護カバー部材７００と、第１固着部及び第２固着部と、のうちの何れか一方に、係合部が形成されているとともに、何れか他方に、当該係合部が係合する係合受部が形成されており、係合部が係合受部に係合することで保護カバー部材７００を当該第１固着部及び当該第２固着部に取り付けることができるのであれば、例えば、係合受部を保護カバー部材７００側に形成するとともに、係合部を第１固着部及び／又は第２固着部側に形成するよう構成しても良い。
【０２３４】
また、右側端封止手段５００に貼着領域Ｒを形成するとともに、右側端封止手段５００に保護カバー部材７００を取り付けるよう構成したが、これに限ることはなく、左側端封止手段４００を右側端封止手段５００のように長尺状に形成して、左側端封止手段４００に貼着領域Ｒを形成するとともに、左側端封止手段４００に保護カバー部材７００を取り付けるよう構成しても良い。この場合、右側端封止手段５００は長尺状に形成しなくても良い。
【０２３５】
また、左固着部材４３０、右固着部材５３０を螺合するねじ止め部（固着受部）が内部に形成されたねじ受部（具体的には、左第１内側固着部４１１、左第２外側固着部４２２、右第１内側固着部５１１、右第１外側固着部５１２）に、ナットとなるインサートパイプを内蔵させるよう構成しても良い。この場合、左固着部材４３０、右固着部材５３０による固着を一層強固なものとすることが可能となる。
また、左固着部材４３０、右固着部材５３０をワンウェイねじではなく、リベットのようなピン状の締結部材により構成しても良い。
【０２３６】
また、複数個（上記実施形態では３個）の溶着封止手段６００の全てを、第１ケース部材２００と第２ケース部材３００とを最初に結合するための主固着部としたが、これに限ることはなく、複数個の溶着封止手段６００のうちの一部を主固着部とし、残りを当該主固着部による結合の解除後に第１ケース部材２００と第２ケース部材３００とを再結合するための副固着部としても良い。
すなわち、複数個の溶着封止手段６００の全てにおいて、溶着部材６３０を第１溶着受部６１０と第２溶着受部６２０とに溶着した状態で遊技機１０を出荷するよう構成したが、これに限ることはなく、複数個の溶着封止手段６００のうちの一部の溶着封止手段６００において、溶着部材６３０を第１溶着受部６１０と第２溶着受部６２０とに溶着するとともに、残りの溶着封止手段６００において、溶着部材６３０を第１溶着受部６１０に収容して嵌入させて第２溶着受部６２０の突出部６２２と係合させた状態で、遊技機１０を出荷するよう構成しても良い。
【０２３７】
また、基板ボックス１２０を構成するケース部材として、第１ケース部材２００と、当該第１ケース部材２００にスライド挿入可能な第２ケース部材３００と、を採用したが、これに限ることはなく、封止手段の構成が上記した構成の何れかであれば、ケース部材の構成は任意であり、例えば、基板ボックス１２０を構成するケース部材として、上方に開口する下蓋と、下方に開口する上蓋と、を採用しても良い。
【０２３８】
また、第２ケース部材３００の所定部位を前側部３２３とし、第１ケース部材２００のうち当該所定部位と対向する所定の壁部を前側壁２５０としたが、これに限ることはなく、第２ケース部材３００の所定部位は、第２ケース部材３００を構成する何れかの部位であれば良く、また、第１ケース部材２００の所定の壁部は、第１ケース部材２００を構成する何れかの壁部のうち当該所定部位と対向する壁部であれば良い。
【０２３９】
また、本発明の遊技機は、上記実施形態に示されるようなパチンコ遊技機に限定されるものではなく、例えば、その他のパチンコ遊技機、アレンジボール遊技機、雀球遊技機などの遊技機を使用する全ての遊技機に適用可能である。
【符号の説明】
【０２４０】
１０  遊技機
１００  遊技制御装置（制御装置）
１１０  遊技制御基板（制御基板）
１１０ａ  表面
１１１  電子部品
１１２  制御デバイス（遊技用マイクロコンピュータ）
１１２ａ  印字面（側面）
１１２ａ  脚部（端子部）
１１６  コネクタ
１１６ａ  脚部（コネクタ端子部）
１２０  基板ボックス
１３０  電子タグシール
１３１  電子タグ
１３１ａ  チップ部
１３１ｂ  アンテナ部
１６０  端子カバー部材
１６１  端子カバー本体部
１６２  起立壁部
１６２ａ  テーパ部
２００  第１ケース部材
２００ａ  挿入開口
２２０  上壁（上面部、周辺領域カバー部）
２２１  露出用切欠部
２２２  スライドガイド溝部
２２２ａ  面取り部
２５０  前側壁（所定の壁部）
２５１  挿通口
３００  第２ケース部材
３１０  開口閉塞部
３１１  上方閉塞部（上面部）
３１１ａ  当接部
３１１ｂ  下方支持部
３１１ｃ  上方支持部
３１２  コネクタ用開口
３１３  端子カバー囲繞壁
３１３ａ  一連端子カバー囲繞壁
３１３ｂ  単体端子カバー囲繞壁
３１６  側方閉塞部
３２０  基板支持部（挿入部）
３２３  前側部（辺部、所定部位）
３３０  囲繞カバー部
３３１  囲繞カバー本体部（上面部、デバイスカバー部）
３３１ａ  デバイス挿入口
３３２  囲繞カバー本体支持部（上面部、周辺領域カバー部）
３３２ａ  スライドガイド壁（スライド部）
４００  左側端封止手段（封止手段）
４１１  左第１内側固着部（副固着封止手段、第１固着部）
４２１  左第２内側固着部（副固着封止手段、第２固着部）
４３０  左固着部材（固着部材）
５００  右側端封止手段（封止手段）
５１０  右第１固着部（第１固着部）
５１１  右第１内側固着部（副固着部、副固着封止手段、第１固着部）
５１２  右第１外側固着部（主固着部）
５１３  右第１脆弱部（脆弱部）
５２０  右第２固着部（第２固着部）
５２１  右第２内側固着部（副固着部、副固着封止手段、第２固着部）
５２２  右第２外側固着部（主固着部）
５２３  右第２脆弱部（脆弱部）
５３０  右固着部材（固着部材）
６００  溶着封止手段（封止手段）
６１０  第１溶着受部
６２０  第２溶着受部
６２１  基部
６２２  突出部
６３０  溶着部材
７００  保護カバー部材
Ｄ  視認段部
Ｒ  貼着領域
Ｓ＊  収納空間
Ｓ  閉止空間
【図１】
0005568734.tif 000002
【図２】
0005568734.tif 000003
【図３】
0005568734.tif 000004
【図４】
0005568734.tif 000005
【図５】
0005568734.tif 000006
【図６】
0005568734.tif 000007
【図７】
0005568734.tif 000008
【図８】
0005568734.tif 000009
【図９】
0005568734.tif 000010
【図１０】
0005568734.tif 000011
【図１１】
0005568734.tif 000012
【図１２】
0005568734.tif 000013
【図１３】
0005568734.tif 000014
【図１４】
0005568734.tif 000015
【図１５】
0005568734.tif 000016
【図１６】
0005568734.tif 000017
【図１７】
0005568734.tif 000018
【図１８】
0005568734.tif 000019
【図１９】
0005568734.tif 000020
【図２０】
0005568734.tif 000021
【図２１】
0005568734.tif 000022
【図２２】
0005568734.tif 000023
【図２３】
0005568734.tif 000024
【図２４】
0005568734.tif 000025
【図２５】
0005568734.tif 000026
【図２６】
0005568734.tif 000027
【図２７】
0005568734.tif 000028